(57)【要約】      （修正有）【課題】ダウンリンクおよびアップリンクの対称波形を用いたピアツーピア（Ｐ２Ｐ）通信を提供する。【解決手段】第１のＵＥが、特定の波形（たとえば、ワイヤレスネットワークのためのダウンリンク波形またはアップリンク波形）に基づいて第１の信号を生成し、Ｐ２Ｐ通信のために第１の信号を第２のＵＥに送信する。第１のＵＥはまた、その特定の波形に基づいて第２のＵＥによって生成され、Ｐ２Ｐ通信のために第１のＵＥに送信された第２の信号を受信する。別の態様では、近傍検出信号が、サブフレーム全体ではなくサブフレームの一部分において送信される。サブフレームの残りの部分は、Ｐ２Ｐ通信をサポートするための制御情報および／または他の情報を送信するために使用される。【選択図】図２
2014212549.tif 000002
【特許請求の範囲】
【請求項１】
第１のユーザ機器（ＵＥ）において特定の波形に基づいて第１の信号を生成することと、前記特定の波形はワイヤレス通信ネットワークのためのダウンリンク波形またはアップリンク波形であり、
ピアツーピア（Ｐ２Ｐ）通信のために前記第１の信号を前記第１のＵＥから第２のＵＥに送信することと、
Ｐ２Ｐ通信のために前記第２のＵＥによって前記第１のＵＥに送信された第２の信号を受信することと、前記第２の信号は、前記第１の信号のために使用された前記特定の波形に基づいて前記第２のＵＥによって生成され、
を備える、ワイヤレス通信のための方法。
【請求項２】
前記特定の波形が前記ダウンリンク波形であり、前記第１の信号を前記生成することが、
少なくとも１つのダウンリンク信号またはチャネル中で送るべき情報を判断することと、
前記情報を搬送する前記少なくとも１つのダウンリンク信号またはチャネルを備える前記第１の信号を生成することと
を備える、請求項１に記載の方法。
【請求項３】
前記少なくとも１つのダウンリンク信号またはチャネルが、少なくとも１つの同期信号、または少なくとも１つの基準信号、またはダウンリンク制御チャネル、またはダウンリンク共有チャネル、またはそれらの組合せを備える、請求項２に記載の方法。
【請求項４】
前記特定の波形が前記ダウンリンク波形であり、前記第１の信号を前記生成することが、
少なくとも１つのアップリンク信号またはチャネル中で送るべき情報を判断することと、
前記少なくとも１つのアップリンク信号またはチャネルを少なくとも１つのダウンリンク信号またはチャネルにマッピングすることと、
前記情報を搬送する前記少なくとも１つのダウンリンク信号またはチャネルを備える前記第１の信号を生成することと
を備える、請求項１に記載の方法。
【請求項５】
前記少なくとも１つのアップリンク信号またはチャネルが、少なくとも１つの基準信号、またはランダムアクセスチャネル、またはアップリンク制御チャネル、またはアップリンク共有チャネル、またはそれらの組合せを備える、請求項４に記載の方法。
【請求項６】
前記アップリンク波形における物理ランダムアクセスチャネル（ＰＲＡＣＨ）が前記ダウンリンク波形における１次同期信号（ＰＳＳ）と２次同期信号（ＳＳＳ）とにマッピングされ、前記第１の信号を前記生成することが、
前記ＰＲＡＣＨ上で送るべき情報を判断することと、
前記ＰＲＡＣＨ上で送るべき前記情報を搬送する前記ＰＳＳと前記ＳＳＳとを備える前記第１の信号を生成することと
を備える、請求項１に記載の方法。
【請求項７】
前記アップリンク波形における物理アップリンク共有チャネル（ＰＵＳＣＨ）が前記ダウンリンク波形における物理ダウンリンク共有チャネル（ＰＤＳＣＨ）にマッピングされ、前記第１の信号を前記生成することが、
前記ＰＵＳＣＨ上で送るべき情報を判断することと、
前記ＰＵＳＣＨ上で送るべき前記情報を搬送する前記ＰＤＳＣＨを備える前記第１の信号を生成することと
を備える、請求項１に記載の方法。
【請求項８】
前記アップリンク波形におけるサウンディング基準信号（ＳＲＳ）が前記ダウンリンク波形におけるセル固有基準信号（ＣＲＳ）にマッピングされ、前記第１の信号を前記生成することが、前記第１のＵＥに割り当てられた少なくとも１つのサブバンドにおいて前記ＣＲＳを備える前記第１の信号を生成することを備える、請求項１に記載の方法。
【請求項９】
前記アップリンク波形における復調基準信号（ＤＭＲＳ）が前記ダウンリンク波形におけるセル固有基準信号（ＣＲＳ）またはＵＥ固有基準信号（ＵＥ−ＲＳ）にマッピングされ、前記第１の信号を前記生成することが、複数のサブバンドのうちの少なくとも１つのサブバンドにおいてダウンリンク制御チャネルまたはダウンリンク共有チャネルを備え、前記ダウンリンク制御チャネルまたは前記ダウンリンク共有チャネルがその中で送られる前記少なくとも１つのサブバンドのみにおいて前記ＣＲＳまたは前記ＵＥ−ＲＳをさらに備える前記第１の信号を生成することを備える、請求項１に記載の方法。
【請求項１０】
前記アップリンク波形における物理アップリンク制御チャネル（ＰＵＣＣＨ）が前記ダウンリンク波形における物理ダウンリンク制御チャネル（ＰＤＣＣＨ）にマッピングされる、請求項１に記載の方法。
【請求項１１】
前記第１の信号を前記生成することが、チャネル品質インジケータ（ＣＱＩ）、またはプリコーディング行列インジケータ（ＰＭＩ）、またはランクインジケータ（ＲＩ）、またはそれらの組合せを搬送する前記ＰＤＣＣＨを備える前記第１の信号を生成することを備える、請求項１０に記載の方法。
【請求項１２】
前記ＰＵＣＣＨが前記ダウンリンク波形における物理ハイブリッドＡＲＱインジケータチャネル（ＰＨＩＣＨ）にさらにマッピングされ、前記第１の信号を前記生成することが、肯定応答／否定応答（ＡＣＫ／ＮＡＣＫ）情報、またはスケジューリング要求（ＳＲ）、またはその両方を搬送する前記ＰＨＩＣＨを備える前記第１の信号を生成することを備える、請求項１０に記載の方法。
【請求項１３】
前記アップリンク波形における物理アップリンク制御チャネル（ＰＵＣＣＨ）が前記ダウンリンク波形における物理ダウンリンク共有チャネル（ＰＤＳＣＨ）にマッピングされ、前記第１の信号を前記生成することが、チャネル品質インジケータ（ＣＱＩ）、またはプリコーディング行列インジケータ（ＰＭＩ）、またはランクインジケータ（ＲＩ）、または肯定応答／否定応答（ＡＣＫ／ＮＡＣＫ）情報、またはスケジューリング要求（ＳＲ）、またはそれらの組合せを搬送する前記ＰＤＳＣＨを備える前記第１の信号を生成することを備える、請求項１に記載の方法。
【請求項１４】
前記アップリンク波形における物理アップリンク制御チャネル（ＰＵＣＣＨ）が前記ダウンリンク波形におけるリレー物理制御共有チャネル（Ｒ−ＰＤＣＣＨ）にマッピングされ、前記第１の信号を前記生成することが、
前記ＰＵＣＣＨ上で送るべき情報を判断することと、
前記ＰＵＣＣＨ中で送るべき前記情報を搬送する前記Ｒ−ＰＤＣＣＨを備える前記第１の信号を生成することと
を備える、請求項１に記載の方法。
【請求項１５】
前記第１のＵＥの全体的な電力スペクトル密度（ＰＳＤ）に基づいて前記第１の信号の送信電力を調整することをさらに備える、請求項１に記載の方法。
【請求項１６】
第１のユーザ機器（ＵＥ）において特定の波形に基づいて第１の信号を生成するための手段と、前記特定の波形がワイヤレス通信ネットワークのためのダウンリンク波形またはアップリンク波形であり、
ピアツーピア（Ｐ２Ｐ）通信のために前記第１の信号を前記第１のＵＥから第２のＵＥに送信するための手段と、
Ｐ２Ｐ通信のために前記第２のＵＥによって前記第１のＵＥに送信された第２の信号を受信するための手段と、前記第２の信号が、前記第１の信号のために使用された前記特定の波形に基づいて前記第２のＵＥによって生成され、
を備える、ワイヤレス通信のための装置。
【請求項１７】
前記特定の波形が前記ダウンリンク波形であり、前記第１の信号を生成するための前記手段が、
少なくとも１つのダウンリンク信号またはチャネル中で送るべき情報を判断するための手段と、
前記情報を搬送する前記少なくとも１つのダウンリンク信号またはチャネルを備える前記第１の信号を生成するための手段と
を備える、請求項１６に記載の装置。
【請求項１８】
前記特定の波形が前記ダウンリンク波形であり、前記第１の信号を生成するための前記手段が、
少なくとも１つのアップリンク信号またはチャネル中で送るべき情報を判断するための手段と、
前記少なくとも１つのアップリンク信号またはチャネルを少なくとも１つのダウンリンク信号またはチャネルにマッピングするための手段と、
前記情報を搬送する前記少なくとも１つのダウンリンク信号またはチャネルを備える前記第１の信号を生成するための手段と
を備える、請求項１６に記載の装置。
【請求項１９】
第１のユーザ機器（ＵＥ）において特定の波形に基づいて第１の信号を生成することと、前記特定の波形がワイヤレス通信ネットワークのためのダウンリンク波形またはアップリンク波形であり、ピアツーピア（Ｐ２Ｐ）通信のために前記第１の信号を前記第１のＵＥから第２のＵＥに送ることと、Ｐ２Ｐ通信のために前記第２のＵＥによって前記第１のＵＥに送信された第２の信号を受信することと、前記第２の信号が、前記第１の信号のために使用された前記特定の波形に基づいて前記第２のＵＥによって生成され、を行うように構成された少なくとも１つのプロセッサを備える、ワイヤレス通信のための装置。
【請求項２０】
前記特定の波形が前記ダウンリンク波形であり、前記少なくとも１つのプロセッサが、少なくとも１つのダウンリンク信号またはチャネル中で送るべき情報を判断することと、前記情報を搬送する前記少なくとも１つのダウンリンク信号またはチャネルを備える前記第１の信号を生成することとを行うように構成された、請求項１９に記載の装置。
【請求項２１】
前記特定の波形が前記ダウンリンク波形であり、前記少なくとも１つのプロセッサが、少なくとも１つのアップリンク信号またはチャネル中で送るべき情報を判断することと、前記少なくとも１つのアップリンク信号またはチャネルを少なくとも１つのダウンリンク信号またはチャネルにマッピングすることと、前記情報を搬送する前記少なくとも１つのダウンリンク信号またはチャネルを備える前記第１の信号を生成することとを行うように構成された、請求項１９に記載の装置。
【請求項２２】
第１のユーザ機器（ＵＥ）において特定の波形に基づいて第１の信号を生成することを少なくとも１つのプロセッサに行わせるためのコードと、前記特定の波形がワイヤレス通信ネットワークのためのダウンリンク波形またはアップリンク波形であり、
ピアツーピア（Ｐ２Ｐ）通信のために前記第１の信号を前記第１のＵＥから第２のＵＥに送ることを前記少なくとも１つのプロセッサに行わせるためのコードと、
Ｐ２Ｐ通信のために前記第２のＵＥによって前記第１のＵＥに送信された第２の信号を受信することを前記少なくとも１つのプロセッサに行わせるためのコードと、前記第２の信号が、前記第１の信号のために使用された前記特定の波形に基づいて前記第２のＵＥによって生成され、
を備える非一時的コンピュータ可読媒体
を備える、コンピュータプログラム製品。
【請求項２３】
ワイヤレス通信ネットワークの物理チャネルに基づいてユーザ機器（ＵＥ）の近傍検出信号を生成することと、
少なくとも１つの他のＵＥが前記ＵＥを検出することを可能にするために第１のサブフレームの一部分において前記近傍検出信号を送信することと、
前記ワイヤレス通信ネットワークとの通信のために第２のサブフレームの全体において前記物理チャネルを送信することと
を備える、ワイヤレス通信のための方法。
【請求項２４】
前記近傍検出信号を前記送信することが、前記第１のサブフレームの最後のシンボル期間を除く前記第１のサブフレームのすべてのシンボル期間において前記近傍検出信号を送信することを備える、請求項２３に記載の方法。
【請求項２５】
前記物理チャネルが物理アップリンク共有チャネル（ＰＵＳＣＨ）を備え、前記近傍検出信号を前記生成することが、
前記近傍検出信号中で送るべき情報に基づいて変調シンボルのセットを生成することと、
変調シンボルの前記セットを、前記第１のサブフレームの前記一部分中の前記ＰＵＳＣＨのためのリソース要素のセットにマッピングすることと、
リソース要素の前記セットにマッピングされた変調シンボルの前記セットに基づいて前記近傍検出信号を生成することと
を備える、請求項２３に記載の方法。
【請求項２６】
前記物理チャネルが物理アップリンク制御チャネル（ＰＵＣＣＨ）を備え、前記近傍検出信号を前記生成することが、
前記近傍検出信号中で送るべき情報に基づいて変調シンボルのセットを生成することと、
被変調シーケンスのセットを生成するために拡散シーケンスを変調シンボルの前記セットで変調することと、各変調シンボルについて１つの被変調シーケンスがあり、
被変調シーケンスの前記セットを、前記第１のサブフレームの前記一部分中の前記ＰＵＣＣＨのためのリソース要素のセットにマッピングすることと、前記第１のサブフレームの前記一部分中の各シンボル期間中に１つの被変調シーケンスがあり、
リソース要素の前記セットにマッピングされた被変調シーケンスの前記セットに基づいて前記近傍検出信号を生成することと
を備える、請求項２３に記載の方法。
【請求項２７】
前記近傍検出信号を前記生成することが、
前記近傍検出信号中で送るべき情報に基づいて、および前記第１のサブフレームの全体のために選択されたコードレートに従ってコードワードを生成することと、
前記コードワードの一部分をパンクチャすることと、
パンクチャされない前記コードワードの残りの部分に基づいて前記近傍検出信号を生成することと
を備える、請求項２３に記載の方法。
【請求項２８】
前記近傍検出信号を前記生成することが、
前記近傍検出信号中で送るべき情報に基づいて、および前記第１のサブフレームの前記一部分に基づいて選択されたコードレートに従ってコードワードを生成することと、
前記コードワードのすべてに基づいて前記近傍検出信号を生成することと
を備える、請求項２３に記載の方法。
【請求項２９】
前記近傍検出信号を前記生成することが、
擬似乱数（ＰＮ）シーケンスまたは所定のホッピングパターンに基づいて前記近傍検出信号のためのサブキャリアのセットを選択することと、
前記第１のサブフレームの前記一部分中のサブキャリアの前記セット上での送信のために前記近傍検出信号を生成することと
を備える、請求項２３に記載の方法。
【請求項３０】
前記ＵＥが前記近傍検出信号をブランキングする確率に基づいて前記第１のサブフレーム中で前記近傍検出信号を送信すべきか否かを判断することと、
前記近傍検出信号を送信するという判断に応答して、前記第１のサブフレームの前記一部分において前記近傍検出信号を送信することと
をさらに備える、請求項２３に記載の方法。
【請求項３１】
前記第１のサブフレームの残りの部分において制御情報を送信すること
をさらに備える、請求項２３に記載の方法。
【請求項３２】
前記第１のサブフレームの前記残りの部分が、ＵＥ間のピアツーピア（Ｐ２Ｐ）通信をサポートするための制御情報を送信するために使用される、請求項２３に記載の方法。
【請求項３３】
ワイヤレス通信ネットワークの物理チャネルに基づいてユーザ機器（ＵＥ）の近傍検出信号を生成するための手段と、
少なくとも１つの他のＵＥが前記ＵＥを検出することを可能にするために第１のサブフレームの一部分において前記近傍検出信号を送信するための手段と、
前記ワイヤレス通信ネットワークとの通信のために第２のサブフレームの全体において前記物理チャネルを送信するための手段と
を備える、ワイヤレス通信のための装置。
【請求項３４】
前記第１のサブフレームの残りの部分が、ＵＥ間のピアツーピア（Ｐ２Ｐ）通信をサポートするための制御情報を送信するために使用される、請求項３３に記載の装置。
【請求項３５】
ワイヤレス通信ネットワークの物理チャネルに基づいてユーザ機器（ＵＥ）の近傍検出信号を生成することと、少なくとも１つの他のＵＥが前記ＵＥを検出することを可能にするために第１のサブフレームの一部分において前記近傍検出信号を送ることと、前記ワイヤレス通信ネットワークとの通信のために第２のサブフレームの全体において前記物理チャネルを送ることとを行うように構成された少なくとも１つのプロセッサ
を備える、ワイヤレス通信のための装置。
【請求項３６】
前記第１のサブフレームの残りの部分が、ＵＥ間のピアツーピア（Ｐ２Ｐ）通信をサポートするための制御情報を送信するために使用される、請求項３５に記載の装置。
【請求項３７】
ワイヤレス通信ネットワークの物理チャネルに基づいてユーザ機器（ＵＥ）の近傍検出信号を生成することを少なくとも１つのプロセッサに行わせるためのコードと、
少なくとも１つの他のＵＥが前記ＵＥを検出することを可能にするために第１のサブフレームの一部分において前記近傍検出信号を送ることを前記少なくとも１つのプロセッサに行わせるためのコードと、
前記ワイヤレス通信ネットワークとの通信のために第２のサブフレームの全体において前記物理チャネルを送ることを前記少なくとも１つのプロセッサに行わせるためのコードと
を備える非一時的コンピュータ可読媒体
を備える、コンピュータプログラム製品。
【請求項３８】
ユーザ機器（ＵＥ）が、第１のサブフレームの一部分において少なくとも１つの他のＵＥによって送信された少なくとも１つの近傍検出信号を検出することと、各近傍検出信号がワイヤレス通信ネットワークの物理チャネルに基づいて生成され、
前記少なくとも１つの近傍検出信号に基づいて前記少なくとも１つの他のＵＥを識別することと、
前記ワイヤレス通信ネットワークとの通信のために第２のサブフレームの全体において前記ＵＥが前記物理チャネルを送信することと
を備える、ワイヤレス通信のための方法。
【請求項３９】
少なくとも１つの近傍検出信号を前記検出することが、前記第１のサブフレームの最後のシンボル期間を除く前記第１のサブフレームのすべてのシンボル期間において前記少なくとも１つの他のＵＥによって送信された前記少なくとも１つの近傍検出信号を検出することを備える、請求項３８に記載の方法。
【請求項４０】
前記物理チャネルが物理アップリンク共有チャネル（ＰＵＳＣＨ）を備え、前記方法が、
前記第１のサブフレームの前記一部分中のリソース要素の少なくとも１つのセットから受信シンボルの少なくとも１つのセットを取得することと、前記少なくとも１つの近傍検出信号の各々について受信シンボルの１つのセットがあり、
前記少なくとも１つの近傍検出信号中で送られた情報を取得するために受信シンボルの前記少なくとも１つのセットを復調し、復号することと
をさらに備える、請求項３８に記載の方法。
【請求項４１】
前記物理チャネルが物理アップリンク制御チャネル（ＰＵＣＣＨ）を備え、前記方法が、
前記第１のサブフレームの前記一部分中のリソース要素の少なくとも１つのセットから受信シンボルの少なくとも１つのセットを取得することと、前記少なくとも１つの近傍検出信号の各々について受信シンボルの１つのセットがあり、
逆拡散シンボルの少なくとも１つのセットを取得するために受信シンボルの前記少なくとも１つのセットを少なくとも１つの拡散シーケンスで逆拡散することと、前記少なくとも１つの近傍検出信号の各々について逆拡散シンボルの１つのセットがあり、
前記少なくとも１つの近傍検出信号中で送られた情報を取得するために逆拡散シンボルの前記少なくとも１つのセットを復調し、復号することと
をさらに備える、請求項３８に記載の方法。
【請求項４２】
前記第１のサブフレームの残りの部分において別のＵＥから制御情報を受信することをさらに備える、請求項３８に記載の方法。
【請求項４３】
ユーザ機器（ＵＥ）が、第１のサブフレームの一部分において少なくとも１つの他のＵＥによって送信された少なくとも１つの近傍検出信号を検出するための手段と、各近傍検出信号がワイヤレス通信ネットワークの物理チャネルに基づいて生成され、
前記少なくとも１つの近傍検出信号に基づいて前記少なくとも１つの他のＵＥを識別するための手段と、
前記ワイヤレス通信ネットワークとの通信のために第２のサブフレームの全体において前記ＵＥが前記物理チャネルを送信するための手段と
を備える、ワイヤレス通信のための装置。
【請求項４４】
前記第１のサブフレームの残りの部分において別のＵＥから制御情報を受信するための手段をさらに備える、請求項４３に記載の装置。
【請求項４５】
ユーザ機器（ＵＥ）が、第１のサブフレームの一部分において少なくとも１つの他のＵＥによって送信された少なくとも１つの近傍検出信号を検出することと、各近傍検出信号がワイヤレス通信ネットワークの物理チャネルに基づいて生成され、前記少なくとも１つの近傍検出信号に基づいて前記少なくとも１つの他のＵＥを識別することと、前記ワイヤレス通信ネットワークとの通信のために第２のサブフレームの全体において前記ＵＥが前記物理チャネルを送ることとを行うように構成された少なくとも１つのプロセッサ
を備える、ワイヤレス通信のための装置。
【請求項４６】
前記少なくとも１つのプロセッサが、前記第１のサブフレームの残りの部分において別のＵＥから制御情報を受信するように構成された、請求項４５に記載の装置。
【請求項４７】
ユーザ機器（ＵＥ）が、第１のサブフレームの一部分において少なくとも１つの他のＵＥによって送信された少なくとも１つの近傍検出信号を検出することを少なくとも１つのプロセッサに行わせるためのコードと、各近傍検出信号がワイヤレス通信ネットワークの物理チャネルに基づいて生成され、
前記少なくとも１つの近傍検出信号に基づいて前記少なくとも１つの他のＵＥを識別することを前記少なくとも１つのプロセッサに行わせるためのコードと、
前記ワイヤレス通信ネットワークとの通信のために第２のサブフレームの全体において前記ＵＥが前記物理チャネルを送ることを前記少なくとも１つのプロセッサに行わせるためのコードと
を備える非一時的コンピュータ可読媒体
を備える、コンピュータプログラム製品。
【請求項４８】
ピアツーピア（Ｐ２Ｐ）通信のために第１のユーザ機器（ＵＥ）から第２のＵＥにデータ送信を送ることと、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信することと、前記信号が、ワイヤレス通信ネットワークにおいてＡＣＫ／ＮＡＣＫ情報を送るために使用されていない信号形式に基づいて前記第２のＵＥによって生成され、
前記第２のＵＥによって送られた前記ＡＣＫ／ＮＡＣＫ情報を取得するために前記第１のＵＥが前記受信された信号を処理することと
を備える、ワイヤレス通信のための方法。
【請求項４９】
前記ＡＣＫ／ＮＡＣＫ情報を備える前記信号が、前記ワイヤレス通信ネットワークにおけるサウンディング基準信号の信号形式に基づいて生成される、請求項４８に記載の方法。
【請求項５０】
前記受信された信号を前記処理することが、
相関値のセットを取得するために前記受信された信号を拡散シーケンスのセットと相関させることと、拡散シーケンスの前記セットの各々について１つの相関値があり、
相関値の前記セットに基づいて前記ＡＣＫ／ＮＡＣＫ情報を判断することと
を備える、請求項４８に記載の方法。
【請求項５１】
拡散シーケンスの前記セットが基本シーケンスの複数のサイクリックシフトを備え、前記基本シーケンスがＺａｄｏｆｆ−Ｃｈｕシーケンスまたはコンピュータ生成シーケンスを備える、請求項５０に記載の方法。
【請求項５２】
前記受信された信号を前記処理することが、
第１の相関値を取得するために前記受信された信号をＡＣＫのための第１の拡散シーケンスと相関させることと、
第２の相関値を取得するために前記受信された信号をＮＡＣＫのための第２の拡散シーケンスと相関させることと、
前記第１の相関値および前記第２の相関値に基づいて前記第１のＵＥによってＡＣＫが送られたのかＮＡＣＫが送られたのかを判断することと
を備える、請求項４８に記載の方法。
【請求項５３】
ＡＣＫが送られたのかＮＡＣＫが送られたのかを前記判断することは、
前記第１の相関値と前記第２の相関値とに基づく比を判断することと、
前記比が第１のしきい値を上回る場合、ＡＣＫが送られたと宣言することと、
前記比が第２のしきい値を下回る場合、ＮＡＣＫが送られたと宣言することと
を備える、請求項５２に記載の方法。
【請求項５４】
ＡＣＫが送られたのかＮＡＣＫが送られたのかを前記判断することは、前記比が前記第１のしきい値と前記第２のしきい値との間にある場合、ＡＣＫまたはＮＡＣＫが送られなかったと宣言することをさらに備える、請求項５３に記載の方法。
【請求項５５】
前記信号を前記受信することが、
サブフレームの単一のシンボル期間において前記ＡＣＫ／ＮＡＣＫ情報を備える前記信号を受信すること
を備える、請求項４８に記載の方法。
【請求項５６】
ピアツーピア（Ｐ２Ｐ）通信のために第１のユーザ機器（ＵＥ）から第２のＵＥにデータ送信を送るための手段と、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信するための手段と、前記信号が、ワイヤレス通信ネットワークにおいてＡＣＫ／ＮＡＣＫ情報を送るために使用されていない信号形式に基づいて前記第２のＵＥによって生成され、
前記第２のＵＥによって送られた前記ＡＣＫ／ＮＡＣＫ情報を取得するために前記第１のＵＥが前記受信された信号を処理するための手段と
を備える、ワイヤレス通信のための装置。
【請求項５７】
前記受信された信号を処理するための前記手段が、
相関値のセットを取得するために前記受信された信号を拡散シーケンスのセットと相関させるための手段と、拡散シーケンスの前記セットの各々について１つの相関値があり、
相関値の前記セットに基づいて前記ＡＣＫ／ＮＡＣＫ情報を判断するための手段と
を備える、請求項５６に記載の装置。
【請求項５８】
ピアツーピア（Ｐ２Ｐ）通信のために第１のユーザ機器（ＵＥ）から第２のＵＥにデータ送信を送ることと、Ｐ２Ｐ通信のための前記データ送信のために前記第２のＵＥによって前記第１のＵＥに送られた肯定応答／否定応答（ＡＣＫ／ＮＡＣＫ）情報を備える信号を受信することと、前記信号が、ワイヤレス通信ネットワークにおいてＡＣＫ／ＮＡＣＫ情報を送るために使用されていない信号形式に基づいて前記第２のＵＥによって生成され、前記第２のＵＥによって送られた前記ＡＣＫ／ＮＡＣＫ情報を取得するために前記第１のＵＥが前記受信された信号を処理することとを行うように構成された少なくとも１つのプロセッサ
を備える、ワイヤレス通信のための装置。
【請求項５９】
前記少なくとも１つのプロセッサが、相関値のセットを取得するために前記受信された信号を拡散シーケンスのセットと相関させることと、拡散シーケンスの前記セットの各々について１つの相関値があり、相関値の前記セットに基づいて前記ＡＣＫ／ＮＡＣＫ情報を判断することとを行うように構成された、請求項５８に記載の装置。
【請求項６０】
ピアツーピア（Ｐ２Ｐ）通信のために第１のユーザ機器（ＵＥ）から第２のＵＥにデータ送信を送ることを少なくとも１つのプロセッサに行わせるためのコードと、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信することを前記少なくとも１つのプロセッサに行わせるためのコードと、前記信号が、ワイヤレス通信ネットワークにおいてＡＣＫ／ＮＡＣＫ情報を送るために使用されていない信号形式に基づいて前記第２のＵＥによって生成され、
前記第２のＵＥによって送られた前記ＡＣＫ／ＮＡＣＫ情報を取得するために前記第１のＵＥが前記受信された信号を処理することを前記少なくとも１つのプロセッサに行わせるためのコードと
を備える非一時的コンピュータ可読媒体
を備える、コンピュータプログラム製品。
【請求項６１】
ピアツーピア（Ｐ２Ｐ）通信のために第１のユーザ機器（ＵＥ）から第２のＵＥに送られたデータ送信を受信することと、
前記受信されたデータ送信に対する肯定応答／否定応答（ＡＣＫ／ＮＡＣＫ）情報を判断することと、
ワイヤレス通信ネットワークにおいてＡＣＫ／ＮＡＣＫ情報を送るために使用されていない信号形式に基づいて前記ＡＣＫ／ＮＡＣＫ情報を備える信号を生成することと、
前記ＡＣＫ／ＮＡＣＫ情報を備える前記信号を前記第２のＵＥから前記第１のＵＥに送信することと
を備える、ワイヤレス通信のための方法。
【請求項６２】
前記信号を前記生成することが、
前記ワイヤレス通信ネットワークにおけるサウンディング基準信号の信号形式に基づいて前記ＡＣＫ／ＮＡＣＫ情報を備える前記信号を生成すること
を備える、請求項６１に記載の方法。
【請求項６３】
前記信号を前記生成することが、
前記ＡＣＫ／ＮＡＣＫ情報に基づいて拡散シーケンスのセット中の拡散シーケンスを選択することと、拡散シーケンスの前記セットの各々が前記ＡＣＫ／ＮＡＣＫ情報の異なる可能な値に関連し、
前記選択された拡散シーケンスに基づいて前記ＡＣＫ／ＮＡＣＫ情報を備える前記信号を生成することと
を備える、請求項６１に記載の方法。
【請求項６４】
前記信号を前記生成することは、
ＡＣＫを送信するための第１の拡散シーケンスと、ＮＡＣＫを送信するための第２の拡散シーケンスとを判断することと、
前記ＡＣＫ／ＮＡＣＫ情報がＡＣＫを備える場合、前記第１の拡散シーケンスに基づいて前記信号を生成することと、
前記ＡＣＫ／ＮＡＣＫ情報がＮＡＣＫを備える場合、前記第２の拡散シーケンスに基づいて前記信号を生成することと
を備える、請求項６１に記載の方法。
【請求項６５】
前記信号を前記送信することが、サブフレームの単一のシンボル期間において前記ＡＣＫ／ＮＡＣＫ情報を備える前記信号を送信することを備える、請求項６１に記載の方法。
【請求項６６】
ピアツーピア（Ｐ２Ｐ）通信のために第１のユーザ機器（ＵＥ）から第２のＵＥに送られたデータ送信を受信するための手段と、
前記受信されたデータ送信に対する肯定応答／否定応答（ＡＣＫ／ＮＡＣＫ）情報を判断するための手段と、
ワイヤレス通信ネットワークにおいてＡＣＫ／ＮＡＣＫ情報を送るために使用されていない信号形式に基づいて前記ＡＣＫ／ＮＡＣＫ情報を備える信号を生成するための手段と、
前記ＡＣＫ／ＮＡＣＫ情報を備える前記信号を前記第２のＵＥから前記第１のＵＥに送信するための手段と
を備える、ワイヤレス通信のための装置。
【請求項６７】
前記信号を生成するための前記手段が、
前記ＡＣＫ／ＮＡＣＫ情報に基づいて拡散シーケンスのセット中の拡散シーケンスを選択するための手段であって、拡散シーケンスの前記セットの各々が前記ＡＣＫ／ＮＡＣＫ情報の異なる可能な値に関連する、選択するための手段と、
前記選択された拡散シーケンスに基づいて前記ＡＣＫ／ＮＡＣＫ情報を備える前記信号を生成するための手段と
を備える、請求項６６に記載の装置。
【請求項６８】
ピアツーピア（Ｐ２Ｐ）通信のために第１のユーザ機器（ＵＥ）から第２のＵＥに送られたデータ送信を受信することと、前記受信されたデータ送信に対する肯定応答／否定応答（ＡＣＫ／ＮＡＣＫ）情報を判断することと、ワイヤレス通信ネットワークにおいてＡＣＫ／ＮＡＣＫ情報を送るために使用されていない信号形式に基づいて前記ＡＣＫ／ＮＡＣＫ情報を備える信号を生成することと、前記ＡＣＫ／ＮＡＣＫ情報を備える前記信号を前記第２のＵＥから前記第１のＵＥに送ることとを行うように構成された少なくとも１つのプロセッサ
を備える、ワイヤレス通信のための装置。
【請求項６９】
前記少なくとも１つのプロセッサが、前記ＡＣＫ／ＮＡＣＫ情報に基づいて拡散シーケンスのセット中の拡散シーケンスを選択することであって、拡散シーケンスの前記セットの各々が前記ＡＣＫ／ＮＡＣＫ情報の異なる可能な値に関連する、選択することと、前記選択された拡散シーケンスに基づいて前記ＡＣＫ／ＮＡＣＫ情報を備える前記信号を生成することとを行うように構成された、請求項６８に記載の装置。
【請求項７０】
ピアツーピア（Ｐ２Ｐ）通信のために第１のユーザ機器（ＵＥ）から第２のＵＥに送られたデータ送信を受信することを少なくとも１つのプロセッサに行わせるためのコードと、
前記受信されたデータ送信に対する肯定応答／否定応答（ＡＣＫ／ＮＡＣＫ）情報を判断することを前記少なくとも１つのプロセッサに行わせるためのコードと、
ワイヤレス通信ネットワークにおいてＡＣＫ／ＮＡＣＫ情報を送るために使用されていない信号形式に基づいて前記ＡＣＫ／ＮＡＣＫ情報を備える信号を生成することを前記少なくとも１つのプロセッサに行わせるためのコードと、
前記ＡＣＫ／ＮＡＣＫ情報を備える前記信号を前記第２のＵＥから前記第１のＵＥに送ることを前記少なくとも１つのプロセッサに行わせるためのコードと
を備える非一時的コンピュータ可読媒体
を備える、コンピュータプログラム製品。
【発明の詳細な説明】
【技術分野】
【０００１】
本出願は、それらの全体が両方とも参照により本明細書に組み込まれる、２０１０年６月１０日に出願された「PEER-TO-PEER COMMUNICATION WITH SYMMETRIC WAVEFORM FOR DOWNLINK AND UPLINK」と題する米国仮出願第６１／３５３，５９１号、および２０１０年６月１８日に出願された「TRANSMISSION OF PEER DETECTION SIGNAL AND CONTROL INFORMATION FOR PEER-TO-PEER COMMUNICATION」と題する米国仮出願第６１／３５６，５０４号の優先権を主張する。
【背景技術】
【０００２】
I.  分野
本開示は、一般に通信に関し、より詳細には、ピアツーピア（Ｐ２Ｐ(peer-to-peer）)通信をサポートするための技法に関する。
【０００３】
II.  背景
ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。ワイヤレス通信ネットワークはワイドエリアネットワーク（ＷＡＮ）と呼ばれることもある。
【０００４】
ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。ＵＥはまた、１つまたは複数の他のＵＥとピアツーピアで通信することが可能であり得る。ＵＥ間のＰ２Ｐ通信を効率的にサポートすることが望ましいことがある。
【発明の概要】
【０００５】
本明細書では、Ｐ２Ｐ通信をサポートするための技法について説明する。一態様では、ピアツーピアで通信するＵＥ間でＰ２ＰダウンリンクとＰ２Ｐアップリンクとの対称波形を用いてＰ２Ｐ通信がサポートされ得る。この波形は、各ＵＥがＰ２Ｐ通信のために同じ波形に基づいて信号とチャネルとを送信し得るという点で、対称的であり得る。Ｐ２ＰダウンリンクとＰ２Ｐアップリンクの両方の対称波形を使用することにより、Ｐ２Ｐ通信をサポートするためのＵＥの設計が簡略化され得る。
【０００６】
１つの設計では、第１のＵＥが、ＷＡＮのためのダウンリンク波形またはアップリンク波形であり得る特定の波形に基づいて第１の信号を生成し得る。第１のＵＥは、Ｐ２Ｐ通信のために第１の信号を第２のＵＥに送信し得る。第１のＵＥはまた、Ｐ２Ｐ通信のために第２のＵＥによって第１のＵＥに送信された第２の信号を受信し得る。第２の信号は、第１の信号のために使用された同じ波形に基づいて、第２のＵＥによって生成され得る。第１のＵＥは、たとえば、第１のＵＥがＰ２Ｐグループオーナーとして働いているかＰ２Ｐクライアントとして働いているかに応じて、異なる方法で第１の信号を生成し得る。１つの設計では、第１のＵＥは、少なくとも１つのダウンリンク信号またはチャネル中で送るべき情報を判断し得、その情報を搬送する少なくとも１つのダウンリンク信号またはチャネルを備える第１の信号を生成し得る。別の設計では、第１のＵＥは、少なくとも１つのアップリンク信号またはチャネル中で送るべき情報を判断し得、その少なくとも１つのアップリンク信号またはチャネルを少なくとも１つのダウンリンク信号またはチャネルにマッピングし得る。第１のＵＥは、次いで、情報を搬送する少なくとも１つのダウンリンク信号またはチャネルを備える第１の信号を生成し得る。
【０００７】
別の態様では、近傍検出信号が、サブフレーム全体ではなくサブフレームの一部分において送信され得る。サブフレームの残りの部分は、Ｐ２Ｐ通信をサポートするための制御情報および／または他の情報を送信するために使用され得る。この特徴により、以下で説明するように、性能が改善され、Ｐ２Ｐ通信の遅延が回避され得る。
【０００８】
１つの設計では、ＵＥは、第１のサブフレームの一部分において少なくとも１つの他のＵＥによって送信された少なくとも１つの近傍検出信号を検出し得る。各近傍検出信号は、ＷＡＮの物理チャネル（たとえば、ＰＵＳＣＨ(physical uplink shared channel)またはＰＵＣＣＨ）に基づいて生成され得る。１つの設計では、少なくとも１つの近傍検出信号は、第１のサブフレームの最後のシンボル期間を除くすべてのシンボル期間において送信され得る。ＵＥは、少なくとも１つの近傍検出信号に基づいて少なくとも１つの他のＵＥを識別し得、それらの少なくとも１つの他のＵＥのうちの１つまたは複数とピアツーピアで通信し得る。１つの設計では、ＵＥ（または何らかの他のＵＥ）は、Ｐ２Ｐ通信のために第１のサブフレームの残りの部分において制御情報を送り得る。ＵＥは、ＷＡＮと通信するために第２のサブフレームの全体において物理チャネルを送信し得る。
【０００９】
別の設計では、第１のＵＥは、Ｐ２Ｐ通信のために第２のＵＥからデータ送信を受信し得る。第１のＵＥは、受信されたデータ送信に対する肯定応答／否定応答（ＡＣＫ／ＮＡＣＫ）情報を判断し得る。第１のＵＥは、ＷＡＮにおいてＡＣＫ／ＮＡＣＫ情報を送るために使用されていない信号形式に基づいてＡＣＫ／ＮＡＣＫ情報を備える信号を生成し得る。第１のＵＥは、ＡＣＫ／ＮＡＣＫ情報を備える信号を第２のＵＥに送信し得る。第１のＵＥは、近傍検出信号を送信するために使用されていない、サブフレームの一部分（たとえば、最後のシンボル期間）において信号を送信し得る。
【００１０】
本開示の様々な態様および特徴について以下でさらに詳細に説明する。
【図面の簡単な説明】
【００１１】
【図１】ワイヤレス通信ネットワークを示す図。
【図２】ＷＡＮ通信とＰ２Ｐ通信とを示す図。
【図３】例示的なフレーム構造を示す図。
【図４】ダウンリンクのための例示的なサブフレームフォーマットを示す図。
【図５】アップリンクのための例示的なサブフレームフォーマットを示す図。
【図６】対称波形を用いてピアツーピアで通信するためのプロセスを示す図。
【図７】ハイブリッド自動再送要求（ＨＡＲＱ）を用いたデータ送信を示す図。
【図８】近傍検出信号を送信するための方式を示す図。
【図９】サブフレームの一部分における近傍検出信号の送信を示す図。
【図１０】近傍検出信号を送信するためのプロセスを示す図。
【図１１】近傍検出信号を検出するためのプロセスを示す図。
【図１２】ＡＣＫ／ＮＡＣＫ情報を送信するためのプロセスを示す図。
【図１３】ＡＣＫ／ＮＡＣＫ情報を受信するためのプロセスを示す図。
【図１４】ＵＥのブロック図を示す図。
【図１５】ピアツーピアで通信する２つのＵＥのブロック図。
【発明を実施するための形態】
【００１２】
[詳細な説明]
本明細書で説明する技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。周波数分割複信（ＦＤＤ）と時分割複信（ＴＤＤ）の両方における３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１３】
図１に、ＬＴＥネットワークまたは何らかの他のワイヤレスネットワークであり得る、ワイヤレス通信ネットワークまたはＷＡＮ１００を示す。ワイヤレスネットワーク１００は、いくつかの発展型ノードＢ（ｅＮＢ）１１０と他のネットワークエンティティとを含み得る。ｅＮＢは、ＵＥと通信するエンティティであり得、ノードＢ、基地局、アクセスポイントなどと呼ばれることもある。各ｅＮＢ１１０は、特定の地理的エリアに対して通信カバレージを提供し得、カバレージエリア内に位置するＵＥのための通信をサポートし得る。ネットワーク容量を改善するために、ｅＮＢの全体的なカバレージエリアは複数（たとえば、３つ）のより小さいエリアに区分され得る。より小さいエリアの各々は、それぞれのｅＮＢサブシステムによってサービスされ得る。３ＧＰＰでは、「セル」という用語は、このカバレージエリアをサービスするｅＮＢおよび／またはｅＮＢサブシステムのカバレージエリアを指すことがある。
【００１４】
ＵＥ１２０はワイヤレスネットワーク全体に分散され得、各ＵＥは固定または移動であり得る。ＵＥは、移動局、端末、アクセス端末、加入者ユニット、局、ノード、デバイスなどと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレットなどであり得る。ＵＥはワイヤレスネットワーク中のｅＮＢと通信し得る。ＵＥはまた、他のＵＥとピアツーピアで通信し得る。図１に示す例では、ＵＥ１２０ｘ、１２０ｙおよび１２０ｚはピアツーピアで通信し得、他のＵＥ１２０ａ〜１２０ｌは、ｅＮＢ１１０ａ〜１１０ｃと通信し得る。ＵＥ１２０ｘ、１２０ｙおよび１２０ｚはまた、たとえば、Ｐ２Ｐ通信に関与していないとき、または場合によってはＰ２Ｐ通信と同時にｅＮＢと通信することが可能であり得る。
【００１５】
図２に、ワイヤレスネットワーク１００におけるＷＡＮ通信とＰ２Ｐ通信とを示す。ＷＡＮ通信は、ＵＥとｅＮＢとの間の通信、たとえば、別のＵＥなどのリモートエンティティとの呼のための通信を指す。ＷＡＮ  ＵＥは、ＷＡＮ通信に関係または関与するＵＥである。Ｐ２Ｐ通信は、ｅＮＢを通過することのない、２つ以上のＵＥ間の直接通信を指す。Ｐ２Ｐ  ＵＥは、Ｐ２Ｐ通信に関係または関与するＵＥである。Ｐ２Ｐグループは、Ｐ２Ｐ通信に関係または関与する２つ以上のＵＥのグループを指す。たとえば、Ｐ２Ｐグループ１０２は、Ｐ２Ｐ通信に関与する３つのＵＥ１２０ｘ、１２０ｙおよび１２０ｚを含む。Ｐ２Ｐリンクは、Ｐ２Ｐグループ用の通信リンクを指す。
【００１６】
１つの設計では、Ｐ２Ｐグループ中のすべてのＵＥは、対称的であり得、（たとえば、媒体アクセス制御（ＭＡＣ）レイヤおよびその上位レイヤについて）同様の機能を実行し得る。別の設計では、Ｐ２Ｐグループ中の１つのＵＥ（たとえば、Ｐ２Ｐグループ１０２中のＵＥ１２０ｘ）がＰ２Ｐグループオーナー（またはＰ２Ｐサーバ）として指定され得、Ｐ２Ｐグループ中の各残りのＵＥはＰ２Ｐクライアントとして指定され得る。Ｐ２Ｐグループオーナーは、ＷＡＮとシグナリングを交換すること、ＷＡＮおよび／または他のＰ２Ｐグループとリソースネゴシエーションを実行すること、Ｐ２Ｐグループオーナーと（１つまたは複数の）Ｐ２Ｐクライアントとの間でデータ送信を協調させることなど、いくつかの管理機能を実行し得る。たとえば、Ｐ２Ｐグループオーナーは、ＭＡＣレイヤおよびその上位レイヤについて通常はｅＮＢによって実行される機能を実行し得、Ｐ２Ｐクライアントは、ＭＡＣレイヤおよびその上位レイヤについてＵＥと同様に機能し得る。
【００１７】
ＵＥは、ダウンリンクおよびアップリンクを介してｅＮＢと通信し得る。ＵＥはまた、ダウンリンクおよびアップリンクを介して別のＵＥと通信し得る。ＵＥとｅＮＢとの間のダウンリンクおよびアップリンクは、それぞれＷＡＮダウンリンクおよびＷＡＮアップリンクと呼ばれることがある。Ｐ２ＰグループオーナーからＰ２Ｐクライアントへの通信リンクはＰ２Ｐダウンリンクと呼ばれることがある。Ｐ２ＰクライアントからＰ２Ｐグループオーナーへの通信リンクはＰ２Ｐアップリンクと呼ばれることがある。
【００１８】
図２に示すように、ＷＡＮダウンリンクのためのダウンリンク波形が定義され得、ＷＡＮアップリンクのためのアップリンク波形が定義され得る。波形は、信号およびチャネル構造に関連し得、その波形が使用される通信リンクのために使用され得る様々な信号およびチャネルを含み得る。たとえば、ダウンリンク波形は、ＵＥによるセル検出および収集をサポートするための１つまたは複数の同期信号、チャネル推定およびチャネル品質測定をサポートするための１つまたは複数の基準信号、制御情報を送るための１つまたは複数のダウンリンク制御チャネル、トラフィックデータを送るための１つまたは複数のダウンリンク共有チャネルなどを含み得る。アップリンク波形は、１つまたは複数の基準信号、１つまたは複数のアップリンク制御チャネル、１つまたは複数のアップリンク共有チャネル、ランダムアクセスチャネルなどを含み得る。波形はまた、その波形中の各信号およびチャネルの様々な特性を指定し得る。たとえば、ダウンリンク波形は、同期信号をどれくらいの頻度で送るべきか、同期信号をどのように生成すべきか、同期信号を送るために使用すべきリソースなどを指定し得る。ダウンリンク波形は、一般的にはアップリンク波形と異なる。ＷＡＮ通信では、ＵＥは、ｅＮＢからダウンリンク波形中で信号およびチャネルを受信し、信号およびチャネルをアップリンク波形中でｅＮＢに送信するように設計され得る。
【００１９】
一態様では、Ｐ２Ｐ通信は、Ｐ２ＰダウンリンクとＰ２Ｐアップリンクとの対称波形を用いてサポートされ得る。この波形は、各ＵＥがＰ２Ｐ通信のために同じ波形に基づいて信号とチャネルとを送信し得るという点で、対称的であり得る。特に、第１のＵＥと第２のＵＥとの間のＰ２Ｐ通信では、第１のＵＥは、波形に基づいて信号およびチャネルを生成し得、それらの信号およびチャネルをＰ２Ｐダウンリンク上で第２のＵＥに送信し得る。第２のＵＥも、同じ波形に基づいて信号およびチャネルを生成し得、それらの信号およびチャネルをＰ２Ｐアップリンク上で第１のＵＥに送信し得る。波形は、信号およびチャネルのセットを含み得る。第１のＵＥは、波形中の信号およびチャネルの一部または全部を第２のＵＥに送信し得る。第２のＵＥも、波形中の信号およびチャネルの一部または全部を第１のＵＥに送信し得る。第１のＵＥおよび第２のＵＥは、波形の信号およびチャネル中で同様のまたは異なる情報を送信し得る。Ｐ２ＰダウンリンクとＰ２Ｐアップリンクの両方の対称波形を使用することにより、Ｐ２Ｐ通信をサポートするためのＵＥの設計が簡略化され得る。
【００２０】
概して、Ｐ２Ｐ通信のための対称波形はＷＡＮのためのダウンリンク波形またはアップリンク波形であり得る。明快のために、以下の説明の大部分は、ＬＴＥにおけるダウンリンク波形をＰ２Ｐ通信のための対称波形として使用する設計に関する。
【００２１】
図３に、ＬＴＥにおけるＦＤＤのための例示的なフレーム構造３００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。各スロットは、Ｌ個のシンボル期間、たとえば、（図３に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００２２】
ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、周波数レンジを、一般にトーン、ビンなどとも呼ばれる複数（ＮFFT個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（ＮFFT）はシステム帯域幅に依存し得る。たとえば、サブキャリア間隔は１５キロヘルツ（ｋＨｚ）であり得、ＮFFTは、１．４、３、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。各サブバンドは、周波数レンジ、たとえば、１．２５ＭＨｚをカバーし得る。ダウンリンク上では、ＯＦＤＭＡシンボルがサブフレームの各シンボル期間中に送信され得る。アップリンク上では、ＳＣ−ＦＤＭＡシンボルがサブフレームの各シンボル期間中に送信され得る。
【００２３】
図４に、ノーマルサイクリックプレフィックスを用いたＬＴＥにおけるダウンリンクのための例示的なサブフレームフォーマット４００を示す。ダウンリンクのために利用可能な時間周波数リソースは、リソースブロックに区分され得る。各リソースブロックは、１つのスロット中の１２個のサブキャリアをカバーし得、いくつかのリソース要素を含み得る。各リソース要素は、１つのシンボル期間中の１つのサブキャリアをカバーし得、実数値または複素数値であり得る１つの変調シンボルを送るために使用され得る。
【００２４】
ダウンリンクのためのサブフレームは、時分割多重化され得る、制御領域とデータ領域とを含み得る。制御領域はサブフレームの最初のＱ個のシンボル期間を含み得、ただし、Ｑは１、２、３または４に等しくなり得る。Ｑは、サブフレームごとに変化し得、サブフレームの最初のシンボル期間中に搬送され得る。制御領域は制御情報を搬送し得る。データ領域は、サブフレームの残りの２Ｌ−Ｑ個のシンボル期間を含み得、ＵＥのためのデータおよび／または他の情報を搬送し得る。
【００２５】
サブフレームフォーマット４００は、２つのアンテナを装備したｅＮＢのために使用され得る。セル固有基準信号（ＣＲＳ：cell-specific reference signal）が、シンボル期間０、４、７および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成された、セルに固有の基準信号である。図４では、ラベルＲaをもつ所与のリソース要素について、アンテナａからはそのリソース要素上で変調シンボルが送信され得、他のアンテナからはそのリソース要素上で変調シンボルが送信され得ない。ＣＲＳは、均等に離間したサブキャリア上で送信され得、それらのサブキャリアはセルＩＤに基づいて判断され得る。異なるセルのＣＲＳは、それらのセルＩＤに応じて、同じであるかまたは異なるサブキャリア上で送信され得る。ＣＲＳのために使用されないリソース要素は、データ、制御情報などを送信するために使用され得る。
【００２６】
図５に、ＬＴＥにおけるアップリンクのための例示的なサブフレームフォーマット５００を示す。アップリンクのために利用可能なリソースブロックは、データ領域と制御領域とに区分され得る。制御領域は、（図５に示すように）システム帯域幅の２つのエッジにおいて形成され得、構成可能なサイズを有し得る。データ領域は、制御領域中に含まれないすべてのリソースブロックを含み得る。物理アップリンク制御チャネル（ＰＵＣＣＨ）上で制御情報を送るために、ＵＥには、１つのサブフレームの２つのスロット中の制御領域中の２つのリソースブロック５１０ａおよび５１０ｂ（または場合によっては３つ以上のリソースブロック）が割り当てられ得る。それらの２つのリソースブロックは、図５に示すように、周波数ホッピングが使用可能であるとき、サブキャリアの異なるセットを占有し得る。物理アップリンク共有チャネル（ＰＵＳＣＨ）上でデータのみまたはデータと制御情報の両方を送るために、ＵＥには、１つのサブフレームの２つのスロット中のデータ領域中の２つのリソースブロック５２０ａおよび５２０ｂ（または場合によっては３つ以上のリソースブロック）が割り当てられ得る。
【００２７】
ＬＴＥは、ダウンリンク用の信号およびチャネル（またはダウンリンク信号およびチャネル）のセットと、アップリンク用の信号およびチャネル（またはアップリンク信号およびチャネル）のセットとをサポートする。表１に、ＬＴＥによってサポートされるいくつかのダウンリンク信号およびチャネルを記載する。
【表１】
2014212549.tif 000003
【００２８】
表２に、ＬＴＥによってサポートされるいくつかのアップリンク信号およびチャネルを記載する。
【表２】
2014212549.tif 000004
【００２９】
ＬＴＥは、簡単のために表１および表２に示していない、ダウンリンクおよびアップリンク用の他の信号およびチャネルをサポートする。ＬＴＥにおけるダウンリンクおよびアップリンク用の様々な信号およびチャネルは、公的に入手可能な「Evolved Universal Terrestrial Radio Access (E-UTRA); Physical Channels and Modulation」と題する３ＧＰＰ  ＴＳ  ３６．２１１に記載されている。
【００３０】
ｅＮＢは、ＷＡＮ通信をサポートするために、ダウンリンク波形中で様々な信号およびチャネルをＵＥに送信し得る。たとえば、ｅＮＢは、ＷＡＮ通信のために表１の信号およびチャネルを送信し得る。
【００３１】
図３を参照すると、ｅＮＢは、ｅＮＢによってサポートされる各セルについてシステム帯域幅の中心１．０８ＭＨｚにおいてＰＳＳ(primary synchronization signal)とＳＳＳ (secondary synchronization signal)とを送信し得る。ＦＤＤでは、ＰＳＳおよびＳＳＳは、図３に示すように、それぞれ、ノーマルサイクリックプレフィックスをもつ各無線フレームのサブフレーム０および５中のシンボル期間６および５中で送信され得る。ＰＳＳおよびＳＳＳは、セル探索および収集のためにＵＥによって使用され得る。ｅＮＢは、ｅＮＢによってサポートされる各セルについてシステム帯域幅にわたってＣＲＳを送信し得る。ＣＲＳは、（たとえば、図４に示すように）各サブフレームのいくつかのシンボル期間中に送信され得、チャネル推定、チャネル品質測定、および／または他の機能のためにＵＥによって使用され得る。ｅＮＢは、いくつかの無線フレームのスロット１中のシンボル期間０〜３中にＰＢＣＨを送信し得る。ＰＢＣＨは何らかのシステム情報を搬送し得る。
【００３２】
ｅＮＢは、サブフレームの制御領域中でＰＣＦＩＣＨ、ＰＤＣＣＨおよびＰＨＩＣＨを送信し得る。ＰＣＦＩＣＨは、（図３に示すように）サブフレームの最初のシンボル期間中にシステム帯域幅全体にわたって送信され得、制御領域のサイズ（またはＱの値）を搬送し得る。ＰＨＩＣＨは、システム帯域幅全体にわたって送信され得、ＨＡＲＱを用いてアップリンク上で送られるデータ送信に対するＡＣＫ／ＮＡＣＫ情報を搬送し得る。ＰＤＣＣＨは、１つまたは複数の制御チャネル要素（ＣＣＥ：control channel element）中で送信され得、各ＣＣＥは３６個のリソース要素を含む。ＰＤＣＣＨは、ダウンリンク許可、アップリンク許可、電力制御情報などのダウンリンク制御情報を搬送し得る。ｅＮＢはサブフレームのデータ領域中でＰＤＳＣＨ(physical downlink shared channel)を送信し得る。ＰＤＳＣＨは、ダウンリンク上でのデータ送信のためにスケジュールされたＵＥのためのデータを搬送し得る。ｅＮＢはまた、サブフレームのデータ領域中でＲ−ＰＤＣＣＨを送信し得る。Ｒ−ＰＤＣＣＨは、ＰＤＣＣＨと同様に、制御情報を搬送し得る。ただし、ＰＤＣＣＨは、制御領域中の広い周波数レンジ（たとえば、システム帯域幅全体）にわたって送信され得るが、Ｒ−ＰＤＣＣＨは、データ領域中のより狭い周波数レンジ（たとえば、特定のサブバンド）において送信され得る。異なるセルのＲ−ＰＤＣＣＨは、異なる周波数レンジ、たとえば、異なるサブバンド上で周波数分割多重化され得る。
【００３３】
ＵＥは、ＷＡＮ通信のために、アップリンク波形中で様々な信号およびチャネルをｅＮＢに送信し得る。たとえば、ＵＥは、ＷＡＮ通信のために表２の信号およびチャネルを送信し得る。ＳＲＳ(sounding reference signal)は、（構成時に）周期的に送信され得、チャネル品質測定のためにｅＮＢによって使用され得る。ＤＭＲＳ(demodulation reference signal)は、ＰＵＣＣＨまたはＰＵＳＣＨ上で送信され得、チャネル推定およびデータ復調のために使用され得る。ＰＵＣＣＨは、アップリンクのためのサブフレームの制御領域中のリソースブロック上で送信され得、アップリンク制御情報を搬送し得る。アップリンク制御情報は、チャネル品質インジケータ（ＣＱＩ：channel quality indicator）、プリコーディング行列インジケータ（ＰＭＩ：precoding matrix indicator）、ランクインジケータ（ＲＩ：rank indicator）、スケジューリング要求（ＳＲ：scheduling request）、ＡＣＫ／ＮＡＣＫ情報などを含み得る。ＣＱＩ、ＰＭＩおよび／またはＲＩはチャネル状態情報（ＣＳＩ：channel state information）と呼ばれることもある。ＰＵＳＣＨは、アップリンクのためのサブフレームのデータ領域中のリソースブロック上で送信され得、データのみまたはデータと制御情報の両方を搬送し得る。制御情報は、（ｉ）データが送信されない場合、制御領域中のＰＵＣＣＨ上で単独で送信されるか、または、（ｉｉ）データが送信される場合、データ領域中のＰＵＳＣＨ上でデータとともに送信され得る。制御領域およびデータ領域は、図５に示すように、アップリンク上で周波数分割多重化され得、異なる周波数レンジを占有し得る。
【００３４】
１つの設計では、２つ以上のＵＥを備えるＰ２Ｐグループはピアツーピアで通信し得、各ＵＥは、Ｐ２Ｐ通信用のダウンリンク波形中で信号およびチャネルを送信し得る。１つの設計では、Ｐ２Ｐグループ中の１つのＵＥ（たとえば、Ｐ２Ｐグループオーナー）は、たとえば、ｅＮＢと同様の方法で、Ｐ２Ｐダウンリンク上のダウンリンク波形中で信号およびチャネルを送信するように指定され得る。Ｐ２Ｐグループ中の別のＵＥ（たとえば、Ｐ２Ｐクライアント）は、Ｐ２Ｐアップリンク上のダウンリンク波形中で信号およびチャネルを送信し得る。このＵＥは、以下で説明するように、アップリンク波形中の信号およびチャネルをダウンリンク波形中の信号およびチャネルにマッピングし得る。
【００３５】
Ｐ２ＰダウンリンクとＰ２Ｐアップリンクの両方にダウンリンク波形を使用することにより、すべてのＰ２Ｐ  ＵＥの動作が簡略化され得る。ＵＥは通常、ＷＡＮ通信をサポートするために、ダウンリンク波形用の受信機とアップリンク波形用の送信機とを含み得る。ＵＥはさらに、Ｐ２Ｐ通信をサポートするために、ダウンリンク波形用の送信機を含み得る。ダウンリンク波形用の送信機は、アップリンク波形がＰ２Ｐ通信に使用される場合に必要となるであろう、アップリンク波形用の受信機よりも、実装がはるかに単純になり得る。
【００３６】
１つの設計では、Ｐ２Ｐグループオーナーは、部分的なｅＮＢ機能を有し得、ｅＮＢと同様の方法でダウンリンク波形中に信号およびチャネルを生成し得る。Ｐ２Ｐクライアントは、ＷＡＮ  ＵＥと同様の方法で動作し得る。Ｐ２ＰダウンリンクはＷＡＮ通信用のダウンリンクと同様であり得る。ただし、Ｐ２Ｐアップリンクでは、通常はアップリンク波形中の信号およびチャネル中で送られる情報は、ダウンリンク波形中の信号およびチャネルにマッピングされ得る。
【００３７】
アップリンク波形中の信号およびチャネル（またはアップリンク信号およびチャネル）は、様々な方法でダウンリンク波形中の信号およびチャネル（またはダウンリンク信号およびチャネル）にマッピングされ得る。明快のために、以下の説明では、１つのＰ２Ｐグループオーナーと、１つのＰ２Ｐクライアントとを含む、Ｐ２Ｐグループを仮定する。Ｐ２Ｐクライアントによるダウンリンク信号およびチャネルへのアップリンク信号およびチャネルのマッピングについて以下で説明する。
【００３８】
１つの設計では、アップリンク波形中のＰＲＡＣＨ(physical random access channel)は、ダウンリンク波形中のＰＳＳおよび／またはＳＳＳにマッピングされ得る。ＬＴＥでは、ＰＳＳおよびＳＳＳは、５０４個の可能なセルＩＤのうちの１つであり得る、セルのセルＩＤを搬送することができる。したがって、ＰＳＳおよびＳＳＳは、５０４個の可能な値のうちの１つを搬送することができ、ＰＳＳおよびＳＳＳでは最高５０４個の可能なＰＲＡＣＨ値がサポートされ得る。ＰＲＡＣＨ上で送るべき情報は、可能なＰＲＡＣＨ値のうちの１つにマッピングされ得る。ＰＳＳおよびＳＳＳは、次いで、セルＩＤに関して同様の方法で、ＰＲＡＣＨ上で送るべき値／情報に基づいて生成され得る。特に、ＰＳＳに対してはＰＲＡＣＨ値に基づいて拡散シーケンスが生成され得、ＳＳＳに対してはＰＲＡＣＨ値に基づいて擬似乱数（ＰＮ：pseudo-random number）シーケンスが生成され得る。拡散シーケンスは、Ｚａｄｏｆｆ−Ｃｈｕシーケンス、コンピュータ生成シーケンス、または良好な相関特性を有する何らかの他のシーケンスであり得る。ＰＳＳは、その場合、拡散シーケンスに基づいて生成され得、ＳＳＳは、ＰＮシーケンスに基づいて生成され得る。Ｐ２ＰクライアントからのＰＲＡＣＨ値を搬送するＰＳＳおよびＳＳＳは、ｅＮＢからのセルＩＤを搬送するＰＳＳおよびＳＳＳと区別できないことがある。Ｐ２Ｐグループオーナーは、ＵＥがｅＮＢからのＰＳＳおよびＳＳＳを検出するのと同様の方法でＰ２ＰクライアントからのＰＳＳおよびＳＳＳを検出し得る。ただし、Ｐ２Ｐグループオーナーは、５０４個の可能なセルＩＤのセットよりも少ないことがある、可能なＰＲＡＣＨ値のセットを検出し得る。
【００３９】
１つの設計では、アップリンク波形中のＰＵＳＣＨは、ダウンリンク波形中のＰＤＳＣＨにマッピングされ得る。ＬＴＥでは、ＰＵＳＣＨは、（ｉ）制御情報が送られないとき、データのみを搬送するか、または（ｉｉ）制御情報が送られるとき、データと制御情報の両方を搬送し得る。ＰＵＳＣＨ上でデータと制御情報の両方を送ることにより、（ｉ）同じサブフレームにおいてＰＵＳＣＨとＰＵＣＣＨの両方を送信する必要が回避され、（ｉｉ）望ましいことがある、アップリンク用のシングルキャリア波形が維持されるであろう。アップリンク波形に対するこのシングルキャリア波形制限は、Ｐ２Ｐアップリンク用のダウンリンク波形の使用によって緩和され得る。したがって、Ｐ２Ｐクライアントは、ＰＤＳＣＨ上でデータを送り得、１つまたは複数の他のダウンリンクチャネル上で（もしあれば）制御情報を送り得る。
【００４０】
オプションＡと呼ばれ得る、１つの設計では、アップリンク波形中のＰＵＣＣＨは、ダウンリンク波形中のＰＤＣＣＨおよびＰＨＩＣＨにマッピングされ得る。ＰＵＣＣＨは、ＣＱＩ、ＰＭＩ、ＲＩ、ＳＲ、ＡＣＫ／ＮＡＣＫなど、様々なタイプのアップリンク制御情報を搬送し得る。１つの設計では、ＡＣＫ／ＮＡＣＫおよびＳＲはＰＨＩＣＨ上で（たとえば、ＰＨＩＣＨ用の異なるリソースを用いて）送られ得る。ＣＱＩ／ＰＭＩ／ＲＩはＰＤＣＣＨ上で（たとえば、１つのＣＣＥ中で）送られ得る。ＣＱＩ／ＰＭＩ／ＲＩは、ＣＱＩのみ、またはＰＭＩのみ、またはＲＩのみ、またはそれらの組合せを含み得る。制御情報はまた、他の方法でＰＤＣＣＨおよびＰＨＩＣＨにマッピングされ得る。別の設計では、ＰＵＣＣＨは、ダウンリンク波形中のＰＤＣＣＨのみにマッピングされ得る。どちらの設計でも、Ｐ２Ｐクライアントは、ＰＵＣＣＨおよび場合によってはＰＨＩＣＨがその中で送信される制御領域のサイズ（またはシンボル期間Ｑの数）を示すために、ＰＣＦＩＣＨを送信し得る。
【００４１】
オプションＢと呼ばれ得る、別の設計では、ＰＵＣＣＨはＰＤＳＣＨにマッピングされ得る。１つの設計では、ＣＱＩ／ＰＭＩ／ＲＩ、ＡＣＫ／ＮＡＣＫ、およびＳＲは、別々に処理（たとえば、符号化）され、ＰＤＳＣＨ上の異なるリソース上で送られ得る。別の設計では、ＣＱＩ／ＰＭＩ／ＲＩ、ＡＣＫ／ＮＡＣＫ、および／またはＳＲは、一緒に符号化され、ＰＤＳＣＨ上の同じリソース上で送られ得る。ＣＱＩ／ＰＭＩ／ＲＩ、ＡＣＫ／ＮＡＣＫ、およびＳＲのために、同じまたは異なる符号（たとえば、反復符号、またはテイルバイティング畳み込み符号など）が使用され得る。さらに、ＣＱＩ／ＰＭＩ／ＲＩ、ＡＣＫ／ＮＡＣＫ、およびＳＲは、ＰＵＳＣＨ上でデータを送るために使用されるのと同じ符号または何らかの他の符号を使用してＰＤＳＣＨ上で送られ得る。ＰＵＣＣＨはまた、他の方法でＰＤＳＣＨにマッピングされ得る。この設計ではＰＤＣＣＨが送られ得ず、制御領域のサイズが０であり得るので、Ｐ２ＰクライアントはＰＣＦＩＣＨの送信をスキップし得る。干渉を低減するために、ＣＲＳは、アップリンク制御情報を搬送するＰＤＳＣＨがその中で送られるリソースブロックのみにおいて送信され得る。
【００４２】
オプションＣと呼ばれ得る、さらに別の設計では、ＰＵＣＣＨは、ダウンリンク波形中のＲ−ＰＤＣＣＨにマッピングされ得る。ＣＱＩ／ＰＭＩ／ＲＩ、ＡＣＫ／ＮＡＣＫ、およびＳＲは、別々にまたは一緒に符号化され得、Ｒ−ＰＤＣＣＨ上の異なるまたは同じリソース上で送られ得る。Ｒ−ＰＤＣＣＨは、Ｐ２Ｐクライアントに割り当てられた１つまたは複数のサブバンド中で送信され得る。これにより、複数のＰ２ＰクライアントのためのＲ−ＰＤＣＣＨが周波数分割多重化されることが可能になり得る。
【００４３】
１つの設計では、アップリンク波形中のＤＭＲＳは、ダウンリンク波形中のＣＲＳにマッピングされ得る。Ｐ２Ｐクライアントは、データおよび／または制御情報がＰ２Ｐアップリンク上で送信される各サブフレームにおいてＣＲＳを送信し得る。ＣＲＳは、Ｐ２Ｐグループオーナーによってチャネル推定およびデータ復調のために使用され得る。１つの設計では、Ｐ２Ｐクライアントは、データおよび／または制御情報がその中で送信される（１つまたは複数の）サブバンド中のみでＣＲＳを送信し得る。１つの設計では、Ｐ２Ｐクライアントは、（ｉ）制御情報が制御領域中で送信される場合のみ、制御領域中でＣＲＳを送信し、（ｉｉ）データがデータ領域中で送信される場合のみ、データ領域中でＣＲＳを送信し得る。たとえば、Ｐ２Ｐクライアントは、ＰＤＣＣＨおよび／またはＰＨＩＣＨが送信される場合、制御領域中でＣＲＳを送信し、ＰＤＳＣＨまたはＲ−ＰＤＣＣＨが送信される場合、データ領域中でＣＲＳを送信し得る。
【００４４】
１つの設計では、アップリンク波形中のＳＲＳは、ダウンリンク波形中のＣＲＳにマッピングされ得る。Ｐ２Ｐクライアントは、Ｐ２ＰグループオーナーがＰ２Ｐアップリンクのチャネル品質を周期的に測定することを可能にするために、（たとえば、ＳＲＳに関して同様の方法で）周期的にＣＲＳを送信するように構成され得る。Ｐ２Ｐクライアントは、データまたは制御情報が送信されないときでも、構成されたようにＣＲＳを送信し得る。１つの設計では、Ｐ２Ｐクライアントは、Ｐ２Ｐ通信のためにＰ２Ｐクライアントに割り当てられ得る、１つまたは複数の設計されたサブバンド中でＣＲＳを送信し得る。別の設計では、Ｐ２Ｐクライアントはシステム帯域幅にわたってＣＲＳを送信し得る。
【００４５】
表３に、ＬＴＥにおけるダウンリンク波形中の信号およびチャネルへのアップリンク波形中の信号およびチャネルの例示的なマッピングを記載する。
【表３】
2014212549.tif 000005
【００４６】
概して、アップリンク信号およびチャネルは、様々な方法でダウンリンク信号およびチャネルにマッピングされ得る。ダウンリンク信号およびチャネルへのアップリンク信号およびチャネルのマッピングは、静的であり、すべてのＵＥに知られているか、またはあるＵＥのために構成可能であり得る。いくつかのダウンリンク信号および／またはチャネルは、Ｐ２Ｐアップリンクのために不要であり得、省略され得る。たとえば、Ｐ２Ｐクライアントは、ダウンリンク波形中のＰＢＣＨの送信をスキップし得る。
【００４７】
他のＵＥへの干渉を低減しながら良好な性能を得るために、Ｐ２Ｐクライアントの送信電力が制御され得る。１つの設計では、電力制御は、Ｐ２Ｐクライアントの全体的な電力スペクトル密度（ＰＳＤ：power spectral density）に基づいて実行され得る。別の設計では、電力制御は、Ｐ２Ｐクライアントによって送信される個々の信号またはチャネルについて実行され得る。電力制御はまた、他の方法で実行され得る。
【００４８】
Ｐ２ＰダウンリンクとＰ２Ｐアップリンクの両方にダウンリンク波形を使用することにより、以下などの様々な利点が与えられ得る。
【００４９】
ダウンリンク波形中で信号およびチャネルを再利用すること、ならびに
部分的のみのｅＮＢ機能およびダウンリンク波形送信機とのＰ２Ｐ通信をサポートするための複雑さの低減。
【００５０】
ＵＥは、（ｉ）Ｐ２Ｐ通信をサポートするためのダウンリンク波形用の送信機、ならびに（ｉｉ）ＷＡＮ通信をサポートするためのアップリンク波形用の送信機およびダウンリンク波形用の受信機との、ＷＡＮ通信およびＰ２Ｐ通信をサポートすることができるので、複雑さの低減が得られ得る。Ｐ２Ｐグループオーナーは、ＷＡＮ通信のためにも使用されるダウンリンク波形用の受信機を使用してＰ２Ｐクライアントからダウンリンク波形を受信することができる。したがって、ＵＥは、通常のＵＥ機能に加えて、（たとえば、ダウンリンク波形用の送信機の）部分的のみのｅＮＢ機能とのＰ２Ｐ通信をサポートすることができる。
【００５１】
Ｐ２ＰダウンリンクとＰ２Ｐアップリンクの両方にダウンリンク波形を使用すると、１つのＰ２Ｐリンク（たとえば、Ｐ２Ｐダウンリンク）のためにダウンリンク波形を使用し、他のＰ２Ｐリンク（たとえば、Ｐ２Ｐアップリンク）のためにアップリンク波形を使用する方式よりも実装が単純になり得る。この方式では、ＵＥは、完全なｅＮＢ機能をサポートする必要があり得、Ｐ２Ｐ通信をサポートするためにダウンリンク波形用の送信機とアップリンク波形用の受信機の両方を含み得る。ＵＥはまた、ＷＡＮ通信をサポートするためにアップリンク波形用の送信機とダウンリンク波形用の受信機とを含むであろう。したがって、ｅＮＢ機能とＷＡＮ  ＵＥ機能の両方をサポートする必要により、ＵＥの複雑さは著しく増加し得る。
【００５２】
ダウンリンク波形は、上記で説明したように、Ｐ２Ｐグループオーナーが（たとえば、ＭＡＣレイヤおよびその上位レイヤにおいて）Ｐ２Ｐクライアントと区別され得るとき、Ｐ２ＰダウンリンクとＰ２Ｐアップリンクの両方のために使用され得る。ダウンリンク波形はまた、Ｐ２ＰグループオーナーとＰ２Ｐクライアントとの区別がないとき、たとえば、すべてのＰ２Ｐ  ＵＥがＭＡＣレイヤおよびその上位レイヤにおいて対称的であるとき、Ｐ２ＰダウンリンクとＰ２Ｐアップリンクの両方のために使用され得る。
【００５３】
明快のために、Ｐ２ＰダウンリンクとＰ２Ｐアップリンクの両方のためのダウンリンク波形の使用について上記で詳細に説明した。別の設計では、Ｐ２ＰダウンリンクとＰ２Ｐアップリンクの両方のためにアップリンク波形が使用され得る。アップリンク波形を使用することはいくつかの利点を提供し得る。たとえば、アップリンク波形中の信号および／またはチャネルに基づいていくつかのＰ２Ｐ信号（たとえば、近傍検出信号）を実装することがより単純になり得る。
【００５４】
Ｐ２Ｐ通信およびＷＡＮ通信は様々な方法でサポートされ得る。１つの設計では、Ｐ２ＰリンクとＷＡＮリンクとの間のリソース区分が時分割多重（ＴＤＭ）に基づいて実行され得る。この設計では、いくつかのサブフレームがＰ２Ｐ通信のために割り振られ得、残りのサブフレームはＷＡＮ通信のために割り振られ得る。たとえば、８つの時間インターレース０〜７が定義され得、各時間インターレースは、８つのサブフレームだけ離間されたサブフレームを含む。２つの時間インターレースがＰ２Ｐ通信のために割り振られ得、残りの６つの時間インターレースはＷＡＮ通信のために使用され得る。ＵＥは、Ｐ２Ｐ通信のために割り振られたサブフレームにおいてピアツーピアで通信し得、ＷＡＮ通信のために割り振られたサブフレームにおいてｅＮＢと通信し得る。この設計は、同時のＰ２Ｐ通信とＷＡＮ通信とをサポートし得る。
【００５５】
１つの設計では、リソース区分は、リソースを異なるＰ２Ｐグループに割り振るために（インターＰ２Ｐグループ）、およびリソースを同じＰ２Ｐグループ内の異なるＵＥに割り振るために（イントラＰ２Ｐグループ）、ＴＤＭおよび／またはＦＤＭに基づいて実行され得る。１つの設計では、利用可能なサブフレームの一部は、Ｐ２Ｐ通信のためにＰ２Ｐグループに割り振られ得る。Ｐ２Ｐグループ中のＵＥは、割り振られたサブフレームにおいてピアツーピアで通信し得る。別の設計では、周波数レンジ（たとえば、サブバンド）が、Ｐ２Ｐ通信のためにＰ２Ｐグループに割り振られ得る。さらに別の設計では、いくつかのリソースブロックが、Ｐ２Ｐ通信のためにＰ２Ｐグループに割り振られ得る。概して、時間および／または周波数リソースは、Ｐ２Ｐ通信のためにＰ２Ｐグループに割り振られ得る。
【００５６】
図６に、ピアツーピアで通信するためのプロセス６００の設計を示す。プロセス６００は、第２のＵＥとピアツーピアで通信するために第１のＵＥによって実行され得る。第１のＵＥが、ＷＡＮのためのダウンリンク波形またはアップリンク波形であり得る特定の波形に基づいて第１の信号を生成し得る（ブロック６１２）。第１のＵＥは、Ｐ２Ｐ通信のために第１の信号を第２のＵＥに送信し得る（ブロック６１４）。第１のＵＥはまた、Ｐ２Ｐ通信のために第２のＵＥによって第１のＵＥに送信された第２の信号を受信し得る（ブロック６１６）。第２の信号は、第１の信号のために使用された同じ波形に基づいて、第２のＵＥによって生成され得る。
【００５７】
１つの設計では、特定の波形は、ＷＡＮのためのダウンリンク波形であり得る。第１のＵＥは、たとえば、第１のＵＥがＰ２Ｐグループオーナーとして働いているかＰ２Ｐクライアントとして働いているかに応じて、異なる方法で第１の信号を生成し得る。ブロック６１２の１つの設計では、第１のＵＥは、少なくとも１つのダウンリンク信号またはチャネル中で送るべき情報を判断し得、その情報を搬送する少なくとも１つのダウンリンク信号またはチャネルを備える第１の信号を生成し得る。少なくとも１つのダウンリンク信号またはチャネルは、少なくとも１つの同期信号（たとえば、ＰＳＳおよびＳＳＳ）、あるいは少なくとも１つの基準信号（たとえば、ＣＲＳ、ＵＥ−ＲＳ(UE-specific reference signal)、および／またはＣＳＩ−ＲＳ）、あるいはダウンリンク制御チャネル（たとえば、ＰＤＣＣＨまたはＲ−ＰＤＣＣＨ）、あるいはダウンリンク共有チャネル（たとえば、ＰＤＳＣＨ）、あるいはそれらの組合せを備え得る。
【００５８】
ブロック６１２の別の設計では、第１のＵＥは、少なくとも１つのアップリンク信号またはチャネル中で送るべき情報を判断し得、その少なくとも１つのアップリンク信号またはチャネルを少なくとも１つのダウンリンク信号またはチャネルにマッピングし得る。第１のＵＥは、次いで、情報を搬送する少なくとも１つのダウンリンク信号またはチャネルを備える第１の信号を生成し得る。少なくとも１つのアップリンク信号またはチャネルは、少なくとも１つの基準信号（たとえば、ＳＲＳおよび／またはＤＭＲＳ）、あるいはランダムアクセスチャネル（たとえば、ＰＲＡＣＨ）、あるいはアップリンク制御チャネル（たとえば、ＰＵＣＣＨ）、あるいはアップリンク共有チャネル（たとえば、ＰＵＳＣＨ）、あるいはそれらの組合せを備え得る。
【００５９】
アップリンク波形中のアップリンク信号およびチャネルは、様々な方法でダウンリンク波形中のダウンリンク信号およびチャネルにマッピングされ得る。ダウンリンク信号およびチャネルへのアップリンク信号およびチャネルのマッピングのいくつかの例示的な設計について以下で説明する。
【００６０】
１つの設計では、アップリンク波形中のＰＲＡＣＨは、ダウンリンク波形中のＰＳＳおよび／またはＳＳＳにマッピングされ得る。第１のＵＥは、ＰＲＡＣＨ上で送るべき情報を判断し得、そのＰＲＡＣＨ上で送るべき情報を搬送するＰＳＳおよびＳＳＳを備える第１の信号を生成し得る。
【００６１】
１つの設計では、アップリンク波形中のＰＵＳＣＨは、ダウンリンク波形中のＰＤＳＣＨにマッピングされ得る。ＵＥは、ＰＵＳＣＨ上で送るべき情報を判断し得、そのＰＵＳＣＨ上で送るべき情報を搬送するＰＤＳＣＨを備える第１の信号を生成し得る。
【００６２】
１つの設計では、アップリンク波形中のＳＲＳは、ダウンリンク波形中のＣＲＳにマッピングされ得る。第１のＵＥは、第１のＵＥに割り当てられた少なくとも１つのサブバンド中のＣＲＳを備える第１の信号を生成し得る。１つの設計では、アップリンク波形中のＤＭＲＳは、ダウンリンク波形中のＣＲＳまたはＵＥ−ＲＳにマッピングされ得る。第１のＵＥは、（ｉ）複数のサブバンドのうちの少なくとも１つのサブバンド中のダウンリンク制御チャネルまたはダウンリンク共有チャネルと、（ｉｉ）ダウンリンク制御チャネルまたはダウンリンク共有チャネルがその中で送られる少なくとも１つのサブバンド中のみのＣＲＳまたはＵＥ−ＲＳとを備える第１の信号を生成し得る。
【００６３】
１つの設計では、アップリンク波形中のＰＵＣＣＨは、ダウンリンク波形中のＰＤＣＣＨにマッピングされ得る。第１のＵＥは、ＣＱＩ、ＰＭＩおよび／またはＲＩを搬送するＰＤＣＣＨを備える第１の信号を生成し得る。１つの設計では、ＰＵＣＣＨはさらに、ダウンリンク波形中のＰＨＩＣＨにマッピングされ得る。第１のＵＥは、ＰＨＩＣＨ上の別々のリソースにマッピングされ得る、ＡＣＫ／ＮＡＣＫ情報および／またはＳＲを搬送するＰＨＩＣＨを備える第１の信号を生成し得る。１つの設計では、第１の信号はさらに、ＰＤＣＣＨおよびＰＨＩＣＨがその中で送られる制御領域のサイズを示し得るＰＣＦＩＣＨを備え得る。
【００６４】
別の設計では、ＰＵＣＣＨは、ダウンリンク波形中のＰＤＳＣＨにマッピングされ得る。第１のＵＥは、ＣＱＩ、ＰＭＩ、ＲＩ、ＡＣＫ／ＮＡＣＫ、ＳＲ、またはそれらの組合せなどの制御情報を搬送するＰＤＳＣＨを備える第１の信号を生成し得る。ＣＱＩ、ＰＭＩ、ＲＩ、ＡＣＫ／ＮＡＣＫおよび／またはＳＲは、別々に符号化され、ＰＤＳＣＨの異なるリソース上で送られ得る。代替的に、ＣＱＩ、ＰＭＩ、ＲＩ、ＡＣＫ／ＮＡＣＫおよび／またはＳＲは、一緒に符号化され、ＰＤＳＣＨの共通のリソース上で送られ得る。制御情報は、ＰＤＳＣＨ上でデータを送るために使用されない符号化方式、またはＰＤＳＣＨ上でデータを送るために使用される符号化方式のいずれかに基づいて符号化され得る。
【００６５】
さらに別の設計では、ＰＵＣＣＨは、ダウンリンク波形中のＭ−ＰＤＣＣＨにマッピングされ得る。第１のＵＥは、ＰＵＣＣＨ上で送るべき情報を判断し得、そのＰＵＣＣＨ上で送るべき情報を搬送するＲ−ＰＤＣＣＨを備える第１の信号を生成し得る。
【００６６】
１つの設計では、第１のＵＥは、第１のＵＥの全体的なＰＳＤに基づいて第１の信号の送信電力を調整し得る。別の設計では、第１のＵＥは、たとえば、各信号またはチャネルの目標性能に基づいて、その信号またはチャネルの送信電力を別々に調整し得る。
【００６７】
ＬＴＥは、データ送信の信頼性を改善し、変動するチャネル状態に対するレート適応をサポートするためにＨＡＲＱをサポートする。ＨＡＲＱでは、送信機は、トランスポートブロックの送信を送り、必要な場合、トランスポートブロックが受信機によって正しく復号されるか、または最大回数の送信が送られるか、または何らかの他の終了条件に遭遇するまで、１回または複数回の追加の送信を送り得る。トランスポートブロックは、パケット、コードワードなどと呼ばれることもある。トランスポートブロックの送信はＨＡＲＱ送信と呼ばれることもある。
【００６８】
図７に、ＨＡＲＱを用いたデータ送信の一例を示す。図７に示す例では、送信機（たとえば、ｅＮＢまたはＵＥ）は、受信機（たとえば、ＵＥ）に送るべきデータを有し得、データシンボルを取得するためにトランスポートフォーマットに基づいてトランスポートブロックＡを処理し得る。トランスポートフォーマットは、変調およびコーディング方式（ＭＣＳ：modulation and coding scheme）、トランスポートブロック（ＴＢ：transport block）サイズ、および／またはトランスポートブロックの他のパラメータに関連し得る。送信機は、サブフレームｉにおいて受信機にトランスポートブロックＡの第１の送信を送り得る。
【００６９】
受信機は、トランスポートブロックＡの第１の送信を受信し、処理し得る。受信機は、トランスポートブロックＡを誤って復号し得、サブフレームｉ＋ＤにおいてＮＡＣＫを送り得、ただし、Ｄは、ＨＡＲＱフィードバック遅延であり、２、３、４などに等しくなり得る。送信機は、受信機からＮＡＣＫを受信し得、サブフレームｉ＋ＭにおいてトランスポートブロックＡの第２の送信を送り得、ただし、Ｍは４、６、８などに等しくなり得る。受信機は、送信機からトランスポートブロックＡの第２の送信を受信し得、トランスポートブロックＡの第１の送信と第２の送信とを処理し得る。受信機は、トランスポートブロックＡを正しく復号し得、サブフレームｉ＋Ｍ＋ＤにおいてＡＣＫを送り得る。送信機は、受信機からＡＣＫを受信し、トランスポートブロックＡの送信を終了し、同様に別のトランスポートブロックＢを処理し、送信し得る。
【００７０】
いくつかのＨＡＲＱプロセスがサポートされ得、各アクティブＨＡＲＱプロセス中に１つまたは複数のトランスポートブロックが送られ得る。ＨＡＲＱプロセス上で送られている１つまたは複数のトランスポートブロックの終了時に、ＨＡＲＱプロセス上で１つまたは複数の新しいトランスポートブロックが送られ得る。
【００７１】
ＬＴＥは、アップリンク上では同期ＨＡＲＱをサポートし、および／またはダウンリンク上では非同期ＨＡＲＱをサポートする。同期ＨＡＲＱの場合、トランスポートブロックの送信は、たとえば、図７に示すように、１つの時間インターレースの均等に離間したサブフレームにおいて送られ得る。非同期ＨＡＲＱの場合、トランスポートブロックの送信は、スケジュールされ、いずれかのサブフレームにおいて送られ得る。本明細書で説明する技法は、同期ＨＡＲＱと非同期ＨＡＲＱの両方のために使用され得る。
【００７２】
上記のように、ＵＥは、１つまたは複数の他のＵＥとピアツーピアで通信し得る。Ｐ２Ｐリンクをセットアップする際の１つの問題は、特定のレンジ内で注目するピアＵＥの発見または検出である。ピア検出を可能にするために、ピアツーピアで通信することができおよび／または通信することを望むＵＥは、近傍検出信号を周期的に送信し得る。近傍検出信号（ＰＤＳ：proximity detection signal）は、ピア検出信号、ピア発見信号などと呼ばれることもある。ＵＥは、そのＵＥの近傍の近くにあるピアＵＥによって送信された近傍検出信号に基づいてこれらのピアＵＥを検出し得る。
【００７３】
近傍検出信号は、デセンシング（desensing）が緩和され得るように送信されなければならない。デセンシングは、受信機（たとえば、あるＵＥ）が異なる送信機（たとえば、他のＵＥ）から信号を受信し、最も強い送信機からの信号が他の送信機からの信号よりもはるかに強いときに起こり得る。受信機は、最も強い送信機からの信号に基づいて自動利得制御（ＡＧＣ）を実行し得る。より弱い送信機からの信号は、その場合、最も強い送信機からの信号によってマスクまたはデセンスされ得、受信機による検出が不可能になり得る。デセンシングは、異なる送信機からの信号が周波数分割多重化され、異なる周波数リソース上で送信される場合でも起こり得る。
【００７４】
近傍検出信号は、他のＵＥによって送信された他の信号、たとえば、ＷＡＮ通信のためにＵＥによってｅＮＢに送信された信号、および／またはＰ２Ｐ通信のためにＵＥによってピアＵＥに送信された信号によってデセンスされ得る。他の信号による近傍検出信号のデセンシングは、時分割多重によって緩和され得る。特に、いくつかのサブフレームは、近傍検出信号を送信するために予約され得る。近傍検出信号は、その場合、予約されたサブフレーム中では送信されない他の信号によってデセンスされることを回避することができる。
【００７５】
近傍検出信号はまた、他の近傍検出信号によってデセンスされ得る。ＵＥは、そのＵＥのレンジ内に、たとえば、半径１０００メートル内にランダムに位置し得るピアＵＥによって送信された近傍検出信号を検出する必要があり得る。ＵＥは、異なるピアＵＥについて幅広い経路損失を有し得、近くのＵＥの経路損失と遠くのＵＥの経路損失との間の差は６０デシベル（ｄＢ）程度の大きさになり得る。近くのＵＥからの強い近傍検出信号は、遠くのＵＥからの弱い近傍検出信号を圧倒し、それにより遠くのＵＥが検出不可能になり得る。強い近傍検出信号による弱い近傍検出信号のデセンシングは、各ＵＥに１−Ｐblankの確率でそれの近傍検出信号を送信させることによって緩和され得、ただし、Ｐblankは、近傍検出信号を送信しないＵＥの確率である。
【００７６】
図８に、近傍検出信号を送信するための方式の設計を示す。この設計では、いくつかのサブフレームが、近傍検出信号を送信するために予約され得、ＰＤＳサブフレームと呼ばれることがある。ＰＤＳサブフレームは、ＰＤＳ周期性と呼ばれることがある、ＴPDSｍｓだけ離間され得る。ＵＥは、１−Ｐblankの確率で各ＰＤＳサブフレームにおいてそのＵＥの近傍検出信号を送信し得る。
【００７７】
別の態様では、近傍検出信号は、ＰＤＳサブフレーム全体ではなくＰＤＳサブフレームの一部分において送信され得る。ＰＤＳサブフレームの残りの部分は、Ｐ２Ｐ通信をサポートするための制御情報および／または他の情報を送信するために使用され得る。これにより、性能が改善され、遅延が回避され得る。たとえば、図７に示すように、２つのＵＥがピアツーピアで通信し得、第１のＵＥはＨＡＲＱを用いてデータを送信し得、第２のＵＥは、図７に同じく示すように所定のＨＡＲＱタイムラインに基づいてＡＣＫ／ＮＡＣＫを送信し得る。第２のＵＥは、偶然にＰＤＳサブフレームであり得る、特定のサブフレーム（たとえば、図７中のサブフレームｉ＋Ｄ）において送信すべきＡＣＫ／ＮＡＣＫを有し得る。Ｐ２Ｐ  ＵＥがＰＤＳサブフレーム全体においてそれらの近傍検出信号を送信した場合、第２のＵＥは、このサブフレームにおいてそれのＡＣＫ／ＮＡＣＫを確実に送信することが不可能になり得る。ＰＤＳサブフレームは、その場合、通常のＨＡＲＱタイムラインを破壊し得、それは、トランスポートブロックの追加の送信と、より長いＨＡＲＱ遅延とをもたらし得る。近傍検出信号をＰＤＳサブフレームの一部分のみにおいて送信することによって、残りの部分はＡＣＫ／ＮＡＣＫを送信するために使用され得る。
【００７８】
概して、近傍検出信号は、サブフレームの任意の部分において、サブフレーム中の任意の数のシンボル期間において送信され得る。制御情報がより多くの残りのシンボル期間において送信されることを可能にするために、近傍検出信号はより少ないシンボル期間において送信され得る。代替的に、より良好なピア検出性能を与えるために、近傍検出信号はより多くのシンボル期間において送信され得る。明快のために、近傍検出信号を送信する特定の設計について以下で説明する。
【００７９】
図９に、ＰＤＳサブフレームの一部分において近傍検出信号を送信する設計を示す。１つの設計では、ＵＥは、ＰＤＳサブフレーム中のリソースブロックのペア上で近傍検出信号を送信し得る。１つの設計では、ＵＥは、（図９に示されていない）周波数ホッピングなしにすべてのＰＤＳサブフレーム中のサブキャリアの同じセット上で近傍検出信号を送信し得る。別の設計では、ＵＥは、図９に示すように、周波数ホッピングを用いて異なるＰＤＳサブフレーム中のサブキャリアの異なるセット上で近傍検出信号を送信し得る。近傍検出信号のために使用すべきサブキャリアは、ＰＮシーケンス、または所定のホッピングシーケンス、または何らかの他のシーケンスに基づいて選択され得る。
【００８０】
１つの設計では、近傍検出信号は、ＰＤＳサブフレームの最初の２Ｌ−１個のシンボル期間中の１２個のサブキャリア上で送信され得る。したがって、近傍検出信号は、（ｉ）（図９に示す）ノーマルサイクリックプレフィックスのためのＰＤＳサブフレームの最初の１３個のシンボル期間０〜１２中に、または（ｉｉ）（図９に示されていない）拡張サイクリックプレフィックスのためのＰＤＳサブフレームの最初の１１個のシンボル期間０〜１０中に送信され得る。近傍検出信号は、ＰＤＳサブフレームの最後のシンボル期間中のリソース要素を除くリソースブロックのペアのすべてのリソース要素上で送信され得る。制御情報は、以下で説明するように、ＰＤＳサブフレームの最後のシンボル期間中に送信され得る。
【００８１】
１つの設計では、近傍検出信号はＰＵＳＣＨに基づいて生成され得る。別の設計では、近傍検出信号はＰＵＣＣＨに基づいて生成され得る。どちらの設計でも、近傍検出信号は、ピア検出基準信号（ＰＤ−ＲＳ）と、ＰＵＳＣＨ上のピア検出送信（ＰＤ−ＰＵＳＣＨと呼ばれる）またはＰＵＣＣＨ上のピア検出送信（ＰＤ−ＰＵＣＣＨと呼ばれる）のいずれかとを含み得る。ＰＤ−ＲＳは、近傍検出信号のデータ部分（たとえば、ＰＤ−ＰＵＳＣＨまたはＰＤ−ＰＵＣＣＨ）のコヒーレント検出のために使用され得る。
【００８２】
図９は、ＰＤ−ＲＳと、ＰＤ−ＰＵＳＣＨまたはＰＤ−ＰＵＣＣＨとを備える近傍検出信号の例示的な設計を示している。この設計では、ＰＤ−ＲＳはシンボル期間３および１０を占有し、ＰＤ−ＰＵＳＣＨまたはＰＤ−ＰＵＣＣＨはシンボル期間０〜２、４〜９、１１および１２を占有する。ＰＤ−ＰＵＳＣＨまたはＰＤ−ＰＵＣＣＨは、近傍検出信号についての情報、たとえば、近傍検出信号を送信するＵＥのＩＤ、サービスタイプなどの補助情報などを搬送し得る。
【００８３】
ＰＤ−ＰＵＳＣＨおよびＰＤ−ＰＵＣＣＨは異なる方法で生成され得る。ＰＤ−ＰＵＳＣＨの１つの設計では、近傍検出信号中で送るべき情報が、特定のＭＣＳに基づいて処理されて変調シンボルが生成され得、その変調シンボルは、次いで、ＰＤ−ＰＵＳＣＨのためのリソース要素にマッピングされ得る。ＰＤ−ＰＵＣＣＨの１つの設計では、近傍検出信号中で送るべき情報は、処理されて、変調シンボルのセットが生成され得る。各変調が使用されて拡散シーケンスが変調され、対応する被変調シーケンスが生成され得る。各被変調シーケンスは、１つのシンボル期間中のＰＤ−ＰＵＣＣＨのためのリソース要素にマッピングされ得る。拡散シーケンスは、近傍検出信号を送信するＵＥに割り当てられ得、使用のために利用可能な拡散シーケンスのセットのうちの１つであり得る。拡散シーケンスは、Ｚａｄｏｆｆ−Ｃｈｕシーケンス、コンピュータ生成シーケンス、または良好な相関特性を有する何らかの他のシーケンス、たとえば、一定振幅ゼロ自己相関（ＣＡＺＡＣ：constant amplitude zero auto correlation）特性であり得る。
【００８４】
ＰＵＳＣＨおよびＰＵＣＣＨは、一般に、サブフレームのすべての２Ｌ個のシンボル期間において送信される。第１の設計では、近傍検出信号中で送るべき情報は、サブフレーム全体のシンボルを生成するためにＰＵＳＣＨまたはＰＵＣＣＨの場合と同様の方法で処理され得る。これらのシンボルの一部は、次いで、ＰＤ−ＰＵＳＣＨまたはＰＤ−ＰＵＣＣＨのシンボルを取得するためにパンクチャされ得る（すなわち、削除され得る）。第１の設計では、ＰＤ−ＰＵＳＣＨまたはＰＤ−ＰＵＣＣＨのための処理は、ＰＵＳＣＨまたはＰＵＣＣＨのための処理と同じまたは同様であり得るが、最後のシンボル期間のシンボルは、ＰＤ−ＰＵＳＣＨまたはＰＤ−ＰＵＣＣＨのための短縮されたＰＵＳＣＨまたはＰＵＣＣＨを取得するためにパンクチャされ得る。第２の設計では、近傍検出信号中で送るべき情報は、より高いコードレートで符号化され、近傍検出信号がその中で送信されるシンボル期間のみ（たとえば、ノーマルサイクリックプレフィックスの１３個のみのシンボル期間）の変調シンボルにマッピングされ得る。より高いコードレートはより短いコードワードを生成し得、そのより短いコードワードは、近傍検出信号がその中で送信されるシンボル期間においてそれの全体が送られ得る。第１の設計では、ＰＵＳＣＨまたはＰＵＣＣＨのために使用されるのと同じエンコーダおよびデコーダがＰＤ−ＰＵＳＣＨまたはＰＤ−ＰＵＣＣＨのためにも使用され得るので、ＵＥ実装が簡略化され得る。第２の設計は、近傍検出信号のコードワードを、近傍検出信号を送信するために利用可能なリソースの量に一致させることによってより良好な性能を実現し得る。
【００８５】
近傍検出信号はまた、他の方法で処理され、サブフレームの一部分において送信され得る。近傍検出信号についての情報は、（ｉ）ＰＵＳＣＨまたはＰＵＣＣＨと同じまたは同様の方法で、あるいは（ｉｉ）ＰＵＳＣＨおよびＰＵＣＣＨとは異なる何らかの他の方法で処理され得る。
【００８６】
ＵＥは、上記で説明したように、ＰＤＳサブフレームの一部分において近傍検出信号を送信し得る。ＵＥは、ＰＤＳサブフレームの残りの部分において、他の情報を送信してもしなくてもよい。とにかく、ＵＥは、このＵＥまたは何らかの他のＵＥがＰＤＳサブフレームの残りの部分において他の情報を送信することができるように、サブフレームのこの部分においてＵＥの近傍検出信号を送信することを回避し得る。１つの設計では、他の情報は、近傍検出信号がその上で送信されるサブキャリア上のみで送信され得る。図９に示す例では、他の情報は、１つのリソースブロック中の１２個のサブキャリア上で送信され得る。別の設計では、他の情報は、近傍検出信号よりも多くのサブキャリア上で送信され得る。たとえば、近傍検出信号は、１つのリソースブロックのための１２個のサブキャリア上で送信され得、他の情報は、２４個、３６個、４８個または何らかの他の数のサブキャリア上で送信され得る。概して、他の情報は、その情報を送信するために割り当てられ得るリソース上で送信され得る。
【００８７】
概して、近傍検出信号を送信するために使用されていないＰＤＳサブフレームの残りの部分において任意の情報が送信され得る。１つの設計では、ＰＤＳサブフレームの残りの部分においてＡＣＫ／ＮＡＣＫが送信され得る。別の設計では、ＰＤＳサブフレームの残りの部分において、ＣＱＩ／ＰＭＩ／ＲＩ、またはＳＲ、または何らかの他の情報、またはそれらの任意の組合せなど、他の制御情報が送信され得る。１つの設計では、ＰＤＳサブフレームの残りの部分は、ＵＥ間のＰ２Ｐ通信をサポートするための他の情報（たとえば、ＡＣＫ／ＮＡＣＫ）を送信するために使用され得る。
【００８８】
ＰＤＳサブフレームの残りの部分において送信すべき情報は、様々な方法で処理され、送信され得る。１つの設計では、情報は、ＭＣＳに基づいて処理されて変調シンボルのセットが取得され得、それらの変調シンボルは、ＰＤＳサブフレームの残りの部分中のリソース要素にマッピングされ得る。別の設計では、情報は、処理されて、１つまたは複数の変調シンボルが生成され得、それらの変調シンボルが使用されて拡散シーケンスが変調され、各変調シンボルについて１つの被変調シーケンスが得られる。各被変調シーケンスは、次いで、ＰＤＳサブフレームの残りの部分中の１つのシンボル期間において送信され得る。情報はまた、他の方法で処理され、ＰＤＳサブフレームの残りの部分において送信され得る。
【００８９】
１つの設計では、ＡＣＫ／ＮＡＣＫが、ＳＲＳと同様の方法でＰＤＳサブフレームの１つのシンボル期間（たとえば、最後のシンボル期間）において送信され得る。ＵＥは、ｅＮＢがＵＥからｅＮＢへのアップリンクのチャネル品質を推定することを可能にするために、４の整数倍のリソースブロック（たとえば、４個、８個または１２個のリソースブロック）においてＳＲＳを送信し得る。ＵＥは、ＵＥに割り当てられた拡散シーケンスに基づいてＳＲＳを生成し得、サブフレームの最後のシンボルにおいてそのＳＲＳを送信し得る。割り当てられた拡散シーケンスは、好適な長さの基本シーケンスのサイクリックシフトバージョンであり得る。基本シーケンスは、Ｚａｄｏｆｆ−Ｃｈｕシーケンス、コンピュータ生成シーケンスなどであり得る。
【００９０】
ＵＥは、ＳＲＳと同様の方法でＡＣＫ／ＮＡＣＫを送信し得る。１つの設計では、ＵＥには、基本シーケンスの２つのサイクリックシフトであり得る、２つの拡散シーケンスが割り当てられ得る。一方の拡散シーケンスはＡＣＫを搬送するために使用され得、他方の拡散シーケンスはＮＡＣＫを搬送するために使用され得る。ＡＣＫを送信するために、ＵＥは、ＡＣＫのために割り当てられた拡散シーケンスに基づいてＳＲＳを生成し得、ＡＣＫ／ＮＡＣＫを送信するためにＵＥに割り当てられたすべてのリソースブロック上の最後のシンボル期間においてそのＳＲＳを送信し得る。同様に、ＮＡＣＫを送信するために、ＵＥは、ＮＡＣＫのために割り当てられた拡散シーケンスに基づいてＳＲＳを生成し得、ＡＣＫ／ＮＡＣＫを送信するためにＵＥに割り当てられたすべてのリソースブロック上の最後のシンボル期間においてそのＳＲＳを送信し得る。ＡＣＫ／ＮＡＣＫを搬送するＳＲＳは、チャネル推定のために使用されるＳＲＳと区別できないことがある。
【００９１】
受信機（たとえば、ピアＵＥ）は、様々な方法でＵＥからのＡＣＫ／ＮＡＣＫを検出し得る。１つの設計では、受信機は、非コヒーレント検出を実行し得、受信機における受信信号を、ＡＣＫおよびＮＡＣＫのためにＵＥに割り当てられた２つの拡散シーケンスの各々と相関させ得る。受信機は、各拡散シーケンスの検出エネルギーを次のように計算し得る。
【数１】
2014212549.tif 000006
【００９２】
ただし、Ｒ（ｎ）は、サンプル期間ｎ中に受信機において受信されたサンプルであり、
ＳACK（ｎ）は、ＡＣＫのための拡散シーケンスのサンプルであり、
ＳNACK（ｎ）は、ＮＡＣＫのための拡散シーケンスのサンプルであり、
ＥACKは、ＡＣＫの検出エネルギーであり、
ＥNACKは、ＮＡＣＫの検出エネルギーであり、
「＊」は複素共役を示す。
【００９３】
受信機は、２つの検出エネルギーの比Ｒを次のように計算し得る。
【数２】
2014212549.tif 000007
【００９４】
受信機は、この比に基づいて、ＵＥによってＡＣＫが送られたのか、ＮＡＣＫが送られたのか、あるいはいずれも送られていないのかを判断し得る。１つの設計では、受信機は、Ｒが、１よりも大きい任意の好適な値であり得る第１のしきい値ＴＨ１よりも大きい場合、ＡＣＫが検出されたことを宣言し得る。受信機は、Ｒが、１よりも小さい任意の好適な値であり得る第２のしきい値ＴＨ２よりも小さい場合、ＮＡＣＫが検出されたことを宣言し得る。受信機は、Ｒが第１のしきい値と第２のしきい値との間にある場合、ＡＣＫでもＮＡＣＫでもないこと（すなわち、ＤＴＸ）を宣言し得る。受信機はまた、ＥACKが最小エネルギーしきい値ＴＨａよりも大きい場合のみ、ＡＣＫを宣言し得、ＥNACKが最小エネルギーしきい値ＴＨｎよりも大きい場合のみ、ＮＡＣＫを宣言し得る。受信機はまた、他の方法でＡＣＫ／ＮＡＣＫのための非コヒーレント検出を実行し得る。
【００９５】
ＰＵＳＣＨとＳＲＳが両方とも同じサブフレーム中で送信されるとき、ＰＵＳＣＨ送信は、ノーマルサイクリックプレフィックスを用いて１３個のシンボルに短縮され得、ＳＲＳは最後のシンボル期間において送信され得る。上記で説明した１つの設計では、近傍検出信号は、短縮されたＰＵＳＣＨ／ＰＵＣＣＨフォーマットを使用してサブフレームの最後のシンボル期間を除くすべてのシンボル期間において送信され得、サブフレームの最後のシンボル期間は、ＳＲＳフォーマットを使用して他の情報（たとえば、ＡＣＫ／ＮＡＣＫ）を送信するために使用され得る。近傍検出信号および他の情報はまた、上記で説明したように、他の方法で送信され得る。本明細書で説明する技法は、以下の利点のうちの１つまたは複数を与え得る。
【００９６】
各近傍検出信号が、１つのサブフレーム中の少数（たとえば、２つ）のリソースブロックにおいて送信され得ることにより、より多くのＵＥが近傍検出信号を送信することを可能にする、高い多重化能力、
近傍検出信号が送信されるときでも、Ｐ２Ｐ通信のためのＨＡＲＱタイムラインを維持、
近傍検出信号を送信するための、ＰＵＳＣＨまたはＰＵＣＣＨなどのＬＴＥ物理チャネルの再利用、および
非コヒーレント検出を用いてＡＣＫ／ＮＡＣＫを送信するためのＳＲＳフォーマットの再利用。
【００９７】
たとえば、８つの時間インターレース０〜７が定義され得、２つの時間インターレース０および３がＰ２Ｐ通信のために割り振られ得る。データは、一方の時間インターレース（たとえば、時間インターレース０）のサブフレームにおいて送られ得、ＡＣＫ／ＮＡＣＫは、他方の時間インターレース（たとえば、時間インターレース３）のサブフレームにおいて送られ得る。時間インターレース３中のいくつかのサブフレームは、ＰＤＳサブフレームとして予約され得る。近傍検出信号とＡＣＫ／ＮＡＣＫとがＰＤＳサブフレームにおいて多重化され、送信されることを可能にすることにより、Ｐ２Ｐ通信のためのＨＡＲＱタイミングが維持され得る。
【００９８】
図１０に、近傍検出信号を送信するためのプロセス１０００の設計を示す。プロセス１０００は、（以下で説明するように）ＵＥによって、または何らかの他のエンティティによって実行され得る。ＵＥは、ＷＡＮの物理チャネル（たとえば、ＰＵＳＣＨまたはＰＵＣＣＨ）に基づいて近傍検出信号を生成し得る（ブロック１０１２）。ＵＥは、少なくとも１つの他のＵＥが上記ＵＥを検出することを可能にするために、第１のサブフレームの一部分において近傍検出信号を送信し得る（ブロック１０１４）。ＵＥは、ＷＡＮと通信するために第２のサブフレームの全体において物理チャネルを送信し得る（ブロック１０１６）。したがって、ＵＥは、近傍検出信号とＷＡＮ通信とについて異なる方法で物理チャネルを送信し得る。
【００９９】
１つの設計では、ＵＥは、たとえば、図９に示すように、第１のサブフレームの最後のシンボル期間を除くすべてのシンボル期間において近傍検出信号を送信し得る。１つの設計では、ＵＥは、たとえば、図９に同じく示すように、第１のサブフレームの一部分中の１つのリソースブロックのための１２個のサブキャリア上で近傍検出信号を送信し得る。
【０１００】
１つの設計では、物理チャネルはＰＵＳＣＨを備え得る。ブロック１０１２の１つの設計では、ＵＥは、近傍検出信号中で送るべき情報に基づいて変調シンボルのセットを生成し得る。ＵＥは、その変調シンボルのセットを、第１のサブフレームの一部分中のＰＵＳＣＨのためのリソース要素のセットにマッピングし得る。ＵＥは、次いで、リソース要素のセットにマッピングされた変調シンボルのセットに基づいて近傍検出信号を生成し得る。
【０１０１】
別の設計では、物理チャネルはＰＵＣＣＨを備え得る。ブロック１０１２の別の設計では、ＵＥは、近傍検出信号中で送るべき情報に基づいて変調シンボルのセットを生成し得る。ＵＥは、被変調シーケンスのセットを生成するために、拡散シーケンスを変調シンボルのセットで変調し得、各変調シンボルについて１つの被変調シーケンスがある。ＵＥは、被変調シーケンスのセットを、第１のサブフレームの一部分中のＰＵＣＣＨのためのリソース要素のセットにマッピングし得、第１のサブフレームの一部分中の各シンボル期間中に１つの被変調シーケンスがある。ＵＥは、次いで、リソース要素のセットにマッピングされた被変調シーケンスのセットに基づいて近傍検出信号を生成し得る。
【０１０２】
１つの設計では、ＵＥは、第１のサブフレームの一部分において近傍検出信号を送信するためにパンクチャリングを実行し得る。ＵＥは、近傍検出信号中で送るべき情報に基づいて、および第１のサブフレーム全体のために選択されたコードレートに従ってコードワードを生成し得る。ＵＥは、そのコードワードの一部分をパンクチャまたは削除し得、パンクチャされないコードワードの残りの部分に基づいて近傍検出信号を生成し得る。
【０１０３】
別の設計では、ＵＥは、第１のサブフレームの一部分において近傍検出信号を送信するためにレートマッチングを実行し得る。ＵＥは、近傍検出信号中で送るべき情報に基づいて、および第１のサブフレームの一部分に基づいて選択されたコードレートに従ってコードワードを生成し得る。ＵＥは、次いで、そのコードワードのすべてに基づいて近傍検出信号を生成し得る。
【０１０４】
１つの設計では、ＵＥは、このＵＥが近傍検出信号をブランキングする確率に基づいて第１のサブフレーム中で近傍検出信号を送信すべきか否かを判断し得る。ＵＥは、近傍検出信号を送信するという判断に応答して、第１のサブフレームの一部分において近傍検出信号を送信し得る。１つの設計では、第１のサブフレームは、ＵＥが近傍検出信号を送信するために予約され得る。
【０１０５】
１つの設計では、ＵＥは、ＰＮシーケンスまたは所定のホッピングパターンに基づいて近傍検出信号のためのサブキャリアのセットを選択し得る。ＵＥは、第１のサブフレームの一部分中のサブキャリアのセット上での送信のために近傍検出信号を生成し得る。
【０１０６】
１つの設計では、ＵＥは、第１のサブフレームの残りの部分において制御情報（たとえば、ＡＣＫ／ＮＡＣＫ情報）を送信または受信し得る。別の設計では、別のＵＥが、第１のサブフレームの残りの部分において制御情報を送信し得る。どちらの設計でも、制御情報は、ＵＥ間のＰ２Ｐ通信をサポートするために使用され得る。
【０１０７】
図１１に、近傍検出信号を検出するためのプロセス１１００の設計を示す。プロセス１１００は、（以下で説明するように）ＵＥによって、または何らかの他のエンティティによって実行され得る。ＵＥは、第１のサブフレームの一部分において少なくとも１つの他のＵＥによって送信された少なくとも１つの近傍検出信号を検出し得る（ブロック１１１２）。各近傍検出信号は、ＷＡＮの物理チャネル（たとえば、ＰＵＳＣＨまたはＰＵＣＣＨ）に基づいて生成され得る。１つの設計では、少なくとも１つの近傍検出信号は、第１のサブフレームの最後のシンボル期間を除くすべてのシンボル期間において送信され得る。ＵＥは、第１のサブフレームの一部分において検出された少なくとも１つの近傍検出信号に基づいて少なくとも１つの他のＵＥを識別し得る（ブロック１１１４）。ＵＥは、それらの少なくとも１つの他のＵＥのうちの１つまたは複数とピアツーピアで通信し得る。ＵＥは、ＷＡＮと通信するために第２のサブフレームの全体において物理チャネルを送信し得る（ブロック１１１６）。
【０１０８】
１つの設計では、物理チャネルはＰＵＳＣＨを備え得る。ＵＥは、第１のサブフレームの一部分中のリソース要素の少なくとも１つのセットから受信シンボルの少なくとも１つのセットを取得し得、少なくとも１つの近傍検出信号の各々について受信シンボルの１つのセットがある。受信シンボルの各セットは、１つの近傍検出信号のための変調シンボルのセットに対応し得る。ＵＥは、少なくとも１つの近傍検出信号中で送られた情報を取得するために、受信シンボルの少なくとも１つのセットを復調し、復号し得る。
【０１０９】
別の設計では、物理チャネルはＰＵＣＣＨを備え得る。ＵＥは、第１のサブフレームの一部分中のリソース要素の少なくとも１つのセットから受信シンボルの少なくとも１つのセットを取得し得、少なくとも１つの近傍検出信号の各々について受信シンボルの１つのセットがある。ＵＥは、逆拡散シンボルの少なくとも１つのセットを取得するために受信シンボルの少なくとも１つのセットを少なくとも１つの拡散シーケンスで逆拡散し得、少なくとも１つの近傍検出信号の各々について逆拡散シンボルの１つのセットがある。ＵＥは、少なくとも１つの近傍検出信号中で送られた情報を取得するために、逆拡散シンボルの少なくとも１つのセットを復調し、復号し得る。
【０１１０】
１つの設計では、ＵＥは、第１のサブフレームの残りの部分において別のＵＥに制御情報を送るか、または別のＵＥから制御情報を受信し得る。別の設計では、何らかの他のＵＥが、Ｐ２Ｐ通信のために第１のサブフレームの残りの部分において制御情報を送り得る。
【０１１１】
図１２に、Ｐ２Ｐ通信のためのＡＣＫ／ＮＡＣＫ情報を受信するためのプロセス１２００の設計を示す。プロセス１２００は、第２のＵＥとピアツーピアで通信する第１のＵＥによって実行され得る。第１のＵＥは、Ｐ２Ｐ通信のためにデータ送信を第２のＵＥに送り得る（ブロック１２１２）。第１のＵＥは、Ｐ２Ｐ通信のためのデータ送信のために第２のＵＥによって第１のＵＥに送られたＡＣＫ／ＮＡＣＫ情報を備える信号を受信し得る（ブロック１２１４）。この信号は、ＷＡＮにおいてＡＣＫ／ＮＡＣＫ情報を送るために使用されていない信号形式に基づいて第２のＵＥによって生成され得る。１つの設計では、ＡＣＫ／ＮＡＣＫ情報を備える信号は、ＷＡＮにおけるＳＲＳの信号形式に基づいて生成され得る。第１のＵＥは、第２のＵＥによって送られたＡＣＫ／ＮＡＣＫ情報を取得するために、受信された信号を処理し得る（ブロック１２１６）。
【０１１２】
ブロック１２１６の１つの設計では、第１のＵＥは、相関値のセットを取得するために、受信された信号を拡散シーケンスのセットと相関させ得、各拡散シーケンスについて１つの相関値がある。１つの設計では、拡散シーケンスのセットは、基本シーケンスの複数のサイクリックシフトを備え得る。基本シーケンスは、Ｚａｄｏｆｆ−Ｃｈｕシーケンス、コンピュータ生成シーケンス、または良好な相関特性を有する何らかの他のシーケンスを備え得る。第１のＵＥは、相関値のセットに基づいてＡＣＫ／ＮＡＣＫ情報を判断し得る。１つの設計では、第１のＵＥは、（ｉ）第１の相関値を取得するために、受信された信号をＡＣＫのための第１の拡散シーケンスと相関させ、（ｉｉ）第２の相関値を取得するために、受信された信号をＮＡＣＫのための第２の拡散シーケンスと相関させ得る。第１のＵＥは、第１の相関値および第２の相関値に基づいて第２のＵＥによってＡＣＫが送られたのかＮＡＣＫが送られたのかを判断し得る。１つの設計では、第１のＵＥは、たとえば、式（３）に示すように、第１の相関値および第２の相関値に基づいて比を判断し得る。第１のＵＥは、比が第１のしきい値を上回る場合、ＡＣＫが送られたと宣言し、比が第２のしきい値を下回る場合、ＮＡＣＫが送られたと宣言し、比が第１のしきい値と第２のしきい値との間にある場合、ＡＣＫまたはＮＡＣＫが送られなかったと宣言し得る。
【０１１３】
１つの設計では、第１のＵＥは、サブフレームの単一のシンボル期間（たとえば、最後のシンボル期間）においてＡＣＫ／ＮＡＣＫ情報を備える信号を受信し得る。サブフレームは、ＵＥが近傍検出信号を送信するために予約され得る。１つの設計では、第１のＵＥは、４の整数倍のリソースブロック中のリソース要素上のＡＣＫ／ＮＡＣＫ情報を備える信号を受信し得る。ＡＣＫ／ＮＡＣＫ情報を備える信号はまた、他の方法で生成され、送信され得る。
【０１１４】
図１３に、Ｐ２Ｐ通信のためのＡＣＫ／ＮＡＣＫ情報を送信するためのプロセス１３００の設計を示す。プロセス１３００は、第１のＵＥとピアツーピアで通信する第２のＵＥによって実行され得る。第２のＵＥは、Ｐ２Ｐ通信のために第１のＵＥによって送られたデータ送信を受信し得る（ブロック１３１２）。第２のＵＥは、受信されたデータ送信に対するＡＣＫ／ＮＡＣＫ情報を判断し得る（ブロック１３１４）。第２のＵＥは、ＷＡＮにおいてＡＣＫ／ＮＡＣＫ情報を送るために使用されていない信号形式に基づいてＡＣＫ／ＮＡＣＫ情報を備える信号を生成し得る（ブロック１３１６）。第２のＵＥは、ＡＣＫ／ＮＡＣＫ情報を備える信号を第１のＵＥに送信し得る（ブロック１３１８）。
【０１１５】
１つの設計では、第２のＵＥは、ＳＲＳの信号形式に基づいてＡＣＫ／ＮＡＣＫ情報を備える信号を生成し得る。ＳＲＳは、ＷＡＮにおけるチャネル品質測定をサポートし得、ＡＣＫ／ＮＡＣＫ情報を備える信号がＰ２Ｐ通信のために送信されるときは送信され得ない。第２のＵＥはまた、ＷＡＮのための何らかの他の信号形式に基づいてＡＣＫ／ＮＡＣＫ情報を備える信号を生成し得る。
【０１１６】
１つの設計では、第２のＵＥは、ＡＣＫ／ＮＡＣＫ情報に基づいて拡散シーケンスのセット中の拡散シーケンスを選択し得る。拡散シーケンスのセット中の各拡散シーケンスは、ＡＣＫ／ＮＡＣＫ情報の異なる可能な値に関連し得る。第２のＵＥは、選択された拡散シーケンスに基づいてＡＣＫ／ＮＡＣＫ情報を備える信号を生成し得る。１つの設計では、拡散シーケンスのセットは、ＡＣＫを送信するための第１の拡散シーケンスと、ＮＡＣＫを送信するための第２の拡散シーケンスとを含む。第２のＵＥは、（ｉ）ＡＣＫ／ＮＡＣＫ情報がＡＣＫを備える場合は第１の拡散シーケンスに基づいて、または（ｉｉ）ＡＣＫ／ＮＡＣＫ情報がＮＡＣＫを備える場合は第２の拡散シーケンスに基づいて、ＡＣＫ／ＮＡＣＫ情報を備える信号を生成し得る。
【０１１７】
１つの設計では、第２のＵＥは、サブフレームの単一のシンボル期間（たとえば、最後のシンボル期間）においてＡＣＫ／ＮＡＣＫ情報を備える信号を送信し得る。サブフレームは、ＵＥが近傍検出信号を送信するために予約され得る。第２のＵＥはまた、４の整数倍のリソースブロック中のリソース要素を占有する信号を生成し、送信し得る。第２のＵＥは、その信号とともに基準信号を送信し得ない。ＡＣＫ／ＮＡＣＫ情報を備える信号はまた、他の方法で生成され、送信され得る。
【０１１８】
図１４に、図１のＵＥのうちの１つであり得る、ＵＥ１２０ｕの設計のブロック図を示す。ＵＥ１２０ｕ内で、受信機１４１２は、Ｐ２Ｐ通信のために他のＵＥによって送信されたＰ２Ｐ信号と、ＷＡＮ通信のためにｅＮＢによって送信されたダウンリンク信号とを受信し得る。送信機１４１４は、Ｐ２Ｐ通信のためにＰ２Ｐ信号を他のＵＥに送信し、ＷＡＮ通信のためにアップリンク信号をｅＮＢに送信し得る。
【０１１９】
モジュール１４１６は、（たとえば、ＷＡＮのためのダウンリンク波形に基づいて）Ｐ２Ｐ信号を生成し得、Ｐ２Ｐ通信のためにそのＰ２Ｐ信号を他のＵＥに送り得る。モジュール１４１８は、他のＵＥからＰ２Ｐ信号を受信し得、（たとえば、ＷＡＮのためのダウンリンク波形に基づいて）その受信されたＰ２Ｐ信号を処理し得る。モジュール１４２０は、（たとえば、短縮されたＰＵＳＣＨまたはＰＵＣＣＨフォーマットに基づいて）ＵＥ１２０ｕの近傍検出信号を生成し得、他のＵＥがＵＥ１２０ｕの存在を検出することを可能にするためにその近傍検出信号を送り得る。モジュール１４２２は、（たとえば、短縮されたＰＵＳＣＨまたはＰＵＣＣＨフォーマットに基づいて）他のＵＥからの近傍検出信号を検出し得る。モジュール１４２４は、（たとえば、ＳＲＳフォーマットに基づいて）ＡＣＫ／ＮＡＣＫおよび／または他の情報を備える信号を生成し得、サブフレームの一部分（たとえば、最後のシンボル期間）においてその信号を送り得る。モジュール１４２６は、ＡＣＫ／ＮＡＣＫを備え、サブフレームの一部分において他のＵＥによって送信された信号を受信し得る。モジュール１４２８は、（たとえば、ＷＡＮのためのアップリンク波形に基づいて）アップリンク信号を生成し得、ＷＡＮ通信のためにそのアップリンク信号をｅＮＢに送り得る。モジュール１４３０は、ｅＮＢからダウンリンク信号を受信し得、（たとえば、ＷＡＮのためのダウンリンク波形に基づいて）その受信されたダウンリンク信号を処理し得る。
【０１２０】
ＵＥ１２０ｕ内の様々なモジュールは、上記で説明したように動作し得る。コントローラ／プロセッサ１４３２は、ＵＥ１２０ｕ内の様々なモジュールの動作を指示し得る。メモリ１４３４は、ＵＥ１２０ｕのためのデータおよびプログラムコードを記憶し得る。ＵＥ１２０ｕ内のモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１２１】
図１５に、図１のＵＥ１２０ｘおよび１２０ｙの設計のブロック図を示す。この設計では、ＵＥ１２０ｘはＴ個のアンテナ１５３４ａ〜１５３４ｔを装備し、ＵＥ１２０ｙはＲ個のアンテナ１５５２ａ〜１５５２ｒを装備し、ただし、一般にＴ≧１およびＲ≧１である。
【０１２２】
ＵＥ１２０ｘにおいて、送信プロセッサ１５２０は、データソース１５１２からデータを受信し、コントローラ／プロセッサ１５４０から制御情報を受信し得る。制御情報は、ＣＱＩ、ＰＭＩ、ＲＩ、ＡＣＫ／ＮＡＣＫ、ＳＲなどを備え得る。送信プロセッサ１５２０は、データと制御情報とを処理（たとえば、符号化、インターリーブ、およびシンボルマッピング）し、それぞれデータシンボルと制御シンボルとを与え得る。送信プロセッサ１５２０はまた、１つまたは複数の同期信号（たとえば、ＰＳＳおよびＳＳＳ）、１つまたは複数の基準信号（たとえば、ＣＲＳ、ＳＲＳ、ＰＤ−ＲＳなど）、近傍検出信号などのための基準シンボルを生成し得る。送信（ＴＸ）多入力多出力（ＭＩＭＯ）プロセッサ１５３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）１５３２ａ〜１５３２ｔに供給し得る。各変調器１５３２は、（たとえば、ＯＦＤＭ、ＳＣ−ＦＤＭなどのために）それぞれの出力シンボルストリームを処理して出力サンプルストリームを取得し得る。各変調器１５３２はさらに、出力サンプルストリームを処理（たとえば、アナログ変換、増幅、フィルタ処理、およびアップコンバート）して被変調信号を取得し得る。変調器１５３２ａ〜１５３２ｔからのＴ個の被変調信号は、それぞれＴ個のアンテナ１５３４ａ〜１５３４ｔを介して送信され得る。
【０１２３】
ＵＥ１２０ｙにおいて、アンテナ１５５２ａ〜１５５２ｒは、ＵＥ１２０ｘからの被変調信号と、ｅＮＢからのダウンリンク信号とを受信し得、受信信号をそれぞれ復調器（ＤＥＭＯＤ）１５５４ａ〜１５５４ｒに供給し得る。各復調器１５５４は、それぞれの受信信号を調整（たとえば、フィルタ処理、増幅、ダウンコンバート、およびデジタル化）して受信サンプルを取得し得る。各復調器１５５４はさらに、（たとえば、ＯＦＤＭ、ＳＣ−ＦＤＭなどのために）受信サンプルを処理して受信シンボルを取得し得る。ＭＩＭＯ検出器１５５６は、すべてのＲ個の復調器１５５４ａ〜１５５４ｒから受信シンボルを取得し、適用可能な場合は受信シンボルに対してＭＩＭＯ検出を実行し、検出シンボルを与え得る。受信プロセッサ１５５８は、検出シンボルを処理（たとえば、復調、デインターリーブ、および復号）し、復号されたデータをデータシンク１５６０に供給し、復号された制御情報をコントローラ／プロセッサ１５８０に供給し得る。
【０１２４】
ＵＥ１２０ｙにおいて、データソース１５６２からのデータ、コントローラ／プロセッサ１５８０からの制御情報（たとえば、ＣＱＩ、ＰＭＩ、ＲＩ、ＡＣＫ／ＮＡＣＫ、ＳＲなど）、および基準シンボルは、送信プロセッサ１５６４によって処理され、適用可能な場合はＴＸ  ＭＩＭＯプロセッサ１５６６によってプリコードされ、変調器１５５４によってさらに処理され、アンテナ１５５２を介して送信され得る。ＵＥ１２０ｘにおいて、ＵＥ１２０ｙからの被変調信号と、ｅＮＢからのダウンリンク信号とは、アンテナ１５３４によって受信され、復調器１５３２によって処理され、適用可能な場合はＭＩＭＯ検出器１５３６によって検出され、受信プロセッサ１５３８によってさらに処理されて、ＵＥ１２０ｙとｅＮＢとによってＵＥ１２０ｘに送信された、復号されたデータと制御情報とが取得され得る。
【０１２５】
Ｐ２Ｐ通信のために、ＵＥ１２０ｘおよび１２０ｙは、同じ波形（たとえば、ダウンリンク波形）を備えるＰ２Ｐ信号を生成し得、各ＵＥは、それのＰ２Ｐ信号を他方のＵＥに送信し得る。各ＵＥはまた、近傍検出信号を生成し、ＰＤＳサブフレームの一部分においてその近傍検出信号を送信し得る。各ＵＥは、ＰＤＳサブフレームの残りの部分において他の情報（たとえば、ＡＣＫ／ＮＡＣＫ）を送信または受信し得る。各ＵＥはまた、ｅＮＢからダウンリンク信号を受信し得、ＷＡＮ通信のためにアップリンク信号をｅＮＢに送信し得る。
【０１２６】
コントローラ／プロセッサ１５４０および１５８０は、それぞれＵＥ１２０ｘおよび１２０ｙにおける動作を指示し得る。コントローラ／プロセッサ１５４０および１５８０はそれぞれ、図６のプロセス６００、図１０のプロセス１０００、図１１のプロセス１１００、図１２のプロセス１２００、図１３のプロセス１３００、および／または本明細書で説明する技法のための他のプロセスを実行または指示し得る。メモリ１５４２および１５８２は、それぞれＵＥ１２０ｘおよび１２０ｙのためのデータおよびプログラムコードを記憶し得る。
【０１２７】
一構成では、ワイヤレス通信のための装置１２０ｕ、１２０ｘ、または１２０ｙは、第１のＵＥが特定の波形に基づいて第１の信号を生成するための手段であって、その特定の波形がＷＡＮのためのダウンリンク波形またはアップリンク波形である、生成するための手段と、Ｐ２Ｐ通信のために第１の信号を第１のＵＥから第２のＵＥに送信するための手段と、Ｐ２Ｐ通信のために第２のＵＥによって第１のＵＥに送信された第２の信号を受信するための手段であって、第２の信号が、第１の信号のために使用された特定の波形に基づいて第２のＵＥによって生成される、受信するための手段とを含み得る。
【０１２８】
別の構成では、ワイヤレス通信のための装置１２０ｕ、１２０ｘ、または１２０ｙは、ＷＡＮの物理チャネルに基づいてＵＥの近傍検出信号を生成するための手段と、少なくとも１つの他のＵＥが上記ＵＥを検出することを可能にするために第１のサブフレームの一部分においてその近傍検出信号を送信するための手段と、ＷＡＮと通信するために第２のサブフレームの全体において物理チャネルを送信するための手段とを含み得る。
【０１２９】
さらに別の構成では、ワイヤレス通信のための装置１２０ｕ、１２０ｘ、または１２０ｙは、あるＵＥが、第１のサブフレームの一部分において少なくとも１つの他のＵＥによって送信された少なくとも１つの近傍検出信号を検出するための手段であって、各近傍検出信号がＷＡＮの物理チャネルに基づいて生成される、検出するための手段と、その少なくとも１つの近傍検出信号に基づいて少なくとも１つの他のＵＥを識別するための手段と、ＷＡＮと通信するために第２のサブフレームの全体において上記ＵＥが物理チャネルを送信するための手段とを含み得る。
【０１３０】
さらに別の構成では、ワイヤレス通信のための装置１２０ｕ、１２０ｘ、または１２０ｙは、Ｐ２Ｐ通信のためにデータ送信を第１のＵＥから第２のＵＥに送るための手段と、Ｐ２Ｐ通信のためのデータ送信のために第２のＵＥによって第１のＵＥに送られたＡＣＫ／ＮＡＣＫ情報を備える信号を受信するための手段であって、その信号が、ＷＡＮにおいてＡＣＫ／ＮＡＣＫ情報を送るために使用されていない信号形式に基づいて第２のＵＥによって生成される、受信するための手段と、第２のＵＥによって送られたＡＣＫ／ＮＡＣＫ情報を取得するために第１のＵＥが受信された信号を処理するための手段とを含み得る。
【０１３１】
さらに別の構成では、ワイヤレス通信のための装置１２０ｕ、１２０ｘ、または１２０ｙは、Ｐ２Ｐ通信のために第１のＵＥから第２のＵＥに送られたデータ送信を受信するための手段と、受信されたデータ送信に対するＡＣＫ／ＮＡＣＫ情報を判断するための手段と、ＷＡＮにおいてＡＣＫ／ＮＡＣＫ情報を送るために使用されていない信号形式に基づいてＡＣＫ／ＮＡＣＫ情報を備える信号を生成するための手段と、ＡＣＫ／ＮＡＣＫ情報を備える信号を第２のＵＥから第１のＵＥに送信するための手段とを含み得る。
【０１３２】
一態様では、上述の手段は、上述の手段によって具陳される機能を実行するように構成された、ＵＥ１２０ｘにおける（１つまたは複数の）プロセッサ１５２０、１５３８および／または１５４０、および／またはＵＥ１２０ｙにおける（１つまたは複数の）プロセッサ１５５８、１５６４および／または１５８０であり得る。別の態様では、上述の手段は、上述の手段によって具陳される機能を実行するように構成されたモジュールまたは任意の装置であり得る。
【０１３３】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３４】
さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１３５】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３６】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１３７】
１つまたは複数の例示的な設計では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を担持または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【０１３８】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2014212549.tif 000008
【図２】
2014212549.tif 000009
【図３】
2014212549.tif 000010
【図４】
2014212549.tif 000011
【図５】
2014212549.tif 000012
【図６】
2014212549.tif 000013
【図７】
2014212549.tif 000014
【図８】
2014212549.tif 000015
【図９】
2014212549.tif 000016
【図１０】
2014212549.tif 000017
【図１１】
2014212549.tif 000018
【図１２】
2014212549.tif 000019
【図１３】
2014212549.tif 000020
【図１４】
2014212549.tif 000021
【図１５】
2014212549.tif 000022
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
ワイヤレス通信ネットワークの物理チャネルを送信するためにユーザ機器（ＵＥ）の近傍検出信号を生成することと、
少なくとも１つの他のＵＥが前記ＵＥを検出することを可能にするために第１のサブフレームの一部分において前記近傍検出信号を送信することと、
前記第１のサブフレームの残りの部分において制御情報を送信することと、
前記ワイヤレス通信ネットワークとの通信のために第２のサブフレームの全体において前記物理チャネルを送信することと
を備える、ワイヤレス通信のための方法。
【請求項２】
前記近傍検出信号を前記送信することが、前記第１のサブフレームの最後のシンボル期間を除く前記第１のサブフレームのすべてのシンボル期間において前記近傍検出信号を送信することを備える、請求項１に記載の方法。
【請求項３】
前記物理チャネルが物理アップリンク共有チャネル（ＰＵＳＣＨ）を備え、前記近傍検出信号を前記生成することが、
前記近傍検出信号中で送るべき情報に基づいて変調シンボルのセットを生成することと、
変調シンボルの前記セットを、前記第１のサブフレームの前記一部分中の前記ＰＵＳＣＨのためのリソース要素のセットにマッピングすることと、
リソース要素の前記セットにマッピングされた変調シンボルの前記セットに基づいて前記近傍検出信号を生成することと
を備える、請求項１に記載の方法。
【請求項４】
前記物理チャネルが物理アップリンク制御チャネル（ＰＵＣＣＨ）を備え、前記近傍検出信号を前記生成することが、
前記近傍検出信号中で送るべき情報に基づいて変調シンボルのセットを生成することと、
被変調シーケンスのセットを生成するために拡散シーケンスを変調シンボルの前記セットで変調することと、各変調シンボルについて１つの被変調シーケンスがあり、
被変調シーケンスの前記セットを、前記第１のサブフレームの前記一部分中の前記ＰＵＣＣＨのためのリソース要素のセットにマッピングすることと、前記第１のサブフレームの前記一部分中の各シンボル期間中に１つの被変調シーケンスがあり、
リソース要素の前記セットにマッピングされた被変調シーケンスの前記セットに基づいて前記近傍検出信号を生成することと
を備える、請求項１に記載の方法。
【請求項５】
前記近傍検出信号を前記生成することが、
前記近傍検出信号中で送るべき情報に基づいて、および前記第１のサブフレームの全体のために選択されたコードレートに従ってコードワードを生成することと、
前記コードワードの一部分をパンクチャすることと、
パンクチャされない前記コードワードの残りの部分に基づいて前記近傍検出信号を生成することと
を備える、請求項１に記載の方法。
【請求項６】
前記近傍検出信号を前記生成することが、
前記近傍検出信号中で送るべき情報に基づいて、および前記第１のサブフレームの前記一部分に基づいて選択されたコードレートに従ってコードワードを生成することと、
前記コードワードのすべてに基づいて前記近傍検出信号を生成することと
を備える、請求項１に記載の方法。
【請求項７】
前記近傍検出信号を前記生成することが、
擬似乱数（ＰＮ）シーケンスまたは所定のホッピングパターンに基づいて前記近傍検出信号のためのサブキャリアのセットを選択することと、
前記第１のサブフレームの前記一部分中のサブキャリアの前記セット上での送信のために前記近傍検出信号を生成することと
を備える、請求項１に記載の方法。
【請求項８】
前記ＵＥが前記近傍検出信号をブランキングする確率に基づいて前記第１のサブフレーム中で前記近傍検出信号を送信すべきか否かを判断することと、
前記近傍検出信号を送信するという判断に応答して、前記第１のサブフレームの前記一部分において前記近傍検出信号を送信することと
をさらに備える、請求項１に記載の方法。
【請求項９】
前記制御情報が、ＵＥ間のピアツーピア（Ｐ２Ｐ）通信をサポートするために前記第１のサブフレームの前記残りの部分において送信される、請求項１に記載の方法。
【請求項１０】
ワイヤレス通信ネットワークの物理チャネルを送信するためにユーザ機器（ＵＥ）の近傍検出信号を生成するための手段と、
少なくとも１つの他のＵＥが前記ＵＥを検出することを可能にするために第１のサブフレームの一部分において前記近傍検出信号を送信するための手段と、
前記第１のサブフレームの残りの部分において制御情報を送信するための手段と、
前記ワイヤレス通信ネットワークとの通信のために第２のサブフレームの全体において前記物理チャネルを送信するための手段と
を備える、ワイヤレス通信のための装置。
【請求項１１】
前記制御情報が、ＵＥ間のピアツーピア（Ｐ２Ｐ）通信をサポートするために前記第１のサブフレームの前記残りの部分において送信される、請求項１０に記載の装置。
【請求項１２】
ワイヤレス通信ネットワークの物理チャネルを送信するためにユーザ機器（ＵＥ）の近傍検出信号を生成することと、少なくとも１つの他のＵＥが前記ＵＥを検出することを可能にするために第１のサブフレームの一部分において前記近傍検出信号を送ることと、前記第１のサブフレームの残りの部分において制御情報を送信することと、前記ワイヤレス通信ネットワークとの通信のために第２のサブフレームの全体において前記物理チャネルを送ることとを行うように構成された少なくとも１つのプロセッサ
を備える、ワイヤレス通信のための装置。
【請求項１３】
前記制御情報が、ＵＥ間のピアツーピア（Ｐ２Ｐ）通信をサポートするために前記第１のサブフレームの前記残りの部分において送信される、請求項１２に記載の装置。
【請求項１４】
ワイヤレス通信ネットワークの物理チャネルを送信するためにユーザ機器（ＵＥ）の近傍検出信号を生成することを少なくとも１つのプロセッサに行わせるためのコードと、
少なくとも１つの他のＵＥが前記ＵＥを検出することを可能にするために第１のサブフレームの一部分において前記近傍検出信号を送ることを前記少なくとも１つのプロセッサに行わせるためのコードと、
前記第１のサブフレームの残りの部分において制御情報を送信するためのコードと、
前記ワイヤレス通信ネットワークとの通信のために第２のサブフレームの全体において前記物理チャネルを送ることを前記少なくとも１つのプロセッサに行わせるためのコードと
を備えるコンピュータ読取可能な記録媒体。
【請求項１５】
ユーザ機器（ＵＥ）が、第１のサブフレームの一部分において少なくとも１つの他のＵＥによって送信された少なくとも１つの近傍検出信号を検出することと、各近傍検出信号が、ワイヤレス通信ネットワークの物理チャネルを送信するために生成され、
前記少なくとも１つの近傍検出信号に基づいて前記少なくとも１つの他のＵＥを識別することと、
前記第１のサブフレームの残りの部分において別のＵＥから制御情報を受信することと、
前記ワイヤレス通信ネットワークとの通信のために第２のサブフレームの全体において前記ＵＥが前記物理チャネルを送信することと
を備える、ワイヤレス通信のための方法。
【請求項１６】
少なくとも１つの近傍検出信号を前記検出することが、前記第１のサブフレームの最後のシンボル期間を除く前記第１のサブフレームのすべてのシンボル期間において前記少なくとも１つの他のＵＥによって送信された前記少なくとも１つの近傍検出信号を検出することを備える、請求項１５に記載の方法。
【請求項１７】
前記物理チャネルが物理アップリンク共有チャネル（ＰＵＳＣＨ）を備え、前記方法が、
前記第１のサブフレームの前記一部分中のリソース要素の少なくとも１つのセットから受信シンボルの少なくとも１つのセットを取得することと、前記少なくとも１つの近傍検出信号の各々について受信シンボルの１つのセットがあり、
前記少なくとも１つの近傍検出信号中で送られた情報を取得するために受信シンボルの前記少なくとも１つのセットを復調し、復号することと
をさらに備える、請求項１５に記載の方法。
【請求項１８】
前記物理チャネルが物理アップリンク制御チャネル（ＰＵＣＣＨ）を備え、前記方法が、
前記第１のサブフレームの前記一部分中のリソース要素の少なくとも１つのセットから受信シンボルの少なくとも１つのセットを取得することと、前記少なくとも１つの近傍検出信号の各々について受信シンボルの１つのセットがあり、
逆拡散シンボルの少なくとも１つのセットを取得するために受信シンボルの前記少なくとも１つのセットを少なくとも１つの拡散シーケンスで逆拡散することと、前記少なくとも１つの近傍検出信号の各々について逆拡散シンボルの１つのセットがあり、
前記少なくとも１つの近傍検出信号中で送られた情報を取得するために逆拡散シンボルの前記少なくとも１つのセットを復調し、復号することと
をさらに備える、請求項１５に記載の方法。
【請求項１９】
ユーザ機器（ＵＥ）が、第１のサブフレームの一部分において少なくとも１つの他のＵＥによって送信された少なくとも１つの近傍検出信号を検出するための手段と、各近傍検出信号が、ワイヤレス通信ネットワークの物理チャネルを送信するために生成され、
前記少なくとも１つの近傍検出信号に基づいて前記少なくとも１つの他のＵＥを識別するための手段と、
前記第１のサブフレームの残りの部分において別のＵＥから制御情報を受信するための手段と、
前記ワイヤレス通信ネットワークとの通信のために第２のサブフレームの全体において前記ＵＥが前記物理チャネルを送信するための手段と
を備える、ワイヤレス通信のための装置。
【請求項２０】
ユーザ機器（ＵＥ）が、第１のサブフレームの一部分において少なくとも１つの他のＵＥによって送信された少なくとも１つの近傍検出信号を検出することと、各近傍検出信号が、ワイヤレス通信ネットワークの物理チャネルを送信するために生成され、前記少なくとも１つの近傍検出信号に基づいて前記少なくとも１つの他のＵＥを識別することと、前記第１のサブフレームの残りの部分において別のＵＥから制御情報を受信することと、前記ワイヤレス通信ネットワークとの通信のために第２のサブフレームの全体において前記ＵＥが前記物理チャネルを送ることとを行うように構成された少なくとも１つのプロセッサ
を備える、ワイヤレス通信のための装置。
【請求項２１】
ユーザ機器（ＵＥ）が、第１のサブフレームの一部分において少なくとも１つの他のＵＥによって送信された少なくとも１つの近傍検出信号を検出することを少なくとも１つのプロセッサに行わせるためのコードと、各近傍検出信号が、ワイヤレス通信ネットワークの物理チャネルを送信するために生成され、
前記少なくとも１つの近傍検出信号に基づいて前記少なくとも１つの他のＵＥを識別することを前記少なくとも１つのプロセッサに行わせるためのコードと、
前記第１のサブフレームの残りの部分において別のＵＥから制御情報を受信するためのコードと、
前記ワイヤレス通信ネットワークとの通信のために第２のサブフレームの全体において前記ＵＥが前記物理チャネルを送ることを前記少なくとも１つのプロセッサに行わせるためのコードと
を備えるコンピュータ読取可能な記録媒体。
【請求項２２】
ピアツーピア（Ｐ２Ｐ）通信のために第１のユーザ機器（ＵＥ）から第２のＵＥにデータ送信を送ることと、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信することと、前記信号は、前記第２のＵＥがサブフレームの最後のシンボル期間を除く前記サブフレームのすべてのシンボル期間において近傍検出信号を送るとき、前記サブフレームの前記最後のシンボル期間において前記第２のＵＥによって送られ、
前記第２のＵＥによって送られた前記ＡＣＫ／ＮＡＣＫ情報を取得するために前記第１のＵＥが前記受信された信号を処理することと
を備える、ワイヤレス通信のための方法。
【請求項２３】
前記ＡＣＫ／ＮＡＣＫ情報を備える前記信号が、ワイヤレス通信ネットワークにおけるサウンディング基準信号の信号形式に基づいて前記第２のＵＥによって生成される、請求項２２に記載の方法。
【請求項２４】
前記受信された信号を前記処理することが、
相関値のセットを取得するために前記受信された信号を拡散シーケンスのセットと相関させることと、拡散シーケンスの前記セットの各々について１つの相関値があり、
相関値の前記セットに基づいて前記ＡＣＫ／ＮＡＣＫ情報を判断することと
を備える、請求項２２に記載の方法。
【請求項２５】
拡散シーケンスの前記セットが基本シーケンスの複数のサイクリックシフトを備え、前記基本シーケンスがＺａｄｏｆｆ−Ｃｈｕシーケンスまたはコンピュータ生成シーケンスを備える、請求項２４に記載の方法。
【請求項２６】
前記受信された信号を前記処理することが、
第１の相関値を取得するために前記受信された信号をＡＣＫのための第１の拡散シーケンスと相関させることと、
第２の相関値を取得するために前記受信された信号をＮＡＣＫのための第２の拡散シーケンスと相関させることと、
前記第１の相関値および前記第２の相関値に基づいて前記第１のＵＥによってＡＣＫが送られたのかＮＡＣＫが送られたのかを判断することと
を備える、請求項２２に記載の方法。
【請求項２７】
ＡＣＫが送られたのかＮＡＣＫが送られたのかを前記判断することは、
前記第１の相関値と前記第２の相関値とに基づく比を判断することと、
前記比が第１のしきい値を上回る場合、ＡＣＫが送られたと宣言することと、
前記比が第２のしきい値を下回る場合、ＮＡＣＫが送られたと宣言することと
を備える、請求項２６に記載の方法。
【請求項２８】
ＡＣＫが送られたのかＮＡＣＫが送られたのかを前記判断することは、前記比が前記第１のしきい値と前記第２のしきい値との間にある場合、ＡＣＫまたはＮＡＣＫが送られなかったと宣言することをさらに備える、請求項２７に記載の方法。
【請求項２９】
前記信号を前記受信することが、
前記サブフレームの単一のシンボル期間において前記ＡＣＫ／ＮＡＣＫ情報を備える前記信号を受信すること
を備える、請求項２２に記載の方法。
【請求項３０】
ピアツーピア（Ｐ２Ｐ）通信のために第１のユーザ機器（ＵＥ）から第２のＵＥにデータ送信を送るための手段と、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信するための手段と、前記信号は、前記第２のＵＥがサブフレームの最後のシンボル期間を除く前記サブフレームのすべてのシンボル期間において近傍検出信号を送るとき、前記サブフレームの前記最後のシンボル期間において前記第２のＵＥによって送られ、
前記第２のＵＥによって送られた前記ＡＣＫ／ＮＡＣＫ情報を取得するために前記第１のＵＥが前記受信された信号を処理するための手段と
を備える、ワイヤレス通信のための装置。
【請求項３１】
前記受信された信号を処理するための前記手段が、
相関値のセットを取得するために前記受信された信号を拡散シーケンスのセットと相関させるための手段と、拡散シーケンスの前記セットの各々について１つの相関値があり、
相関値の前記セットに基づいて前記ＡＣＫ／ＮＡＣＫ情報を判断するための手段と
を備える、請求項３０に記載の装置。
【請求項３２】
ピアツーピア（Ｐ２Ｐ）通信のために第１のユーザ機器（ＵＥ）から第２のＵＥにデータ送信を送ることと、Ｐ２Ｐ通信のための前記データ送信のために前記第２のＵＥによって前記第１のＵＥに送られた肯定応答／否定応答（ＡＣＫ／ＮＡＣＫ）情報を備える信号を受信することと、前記信号は、前記第２のＵＥがサブフレームの最後のシンボル期間を除く前記サブフレームのすべてのシンボル期間において近傍検出信号を送るとき、前記サブフレームの前記最後のシンボル期間において前記第２のＵＥによって送られ、前記第２のＵＥによって送られた前記ＡＣＫ／ＮＡＣＫ情報を取得するために前記第１のＵＥが前記受信された信号を処理することとを行うように構成された少なくとも１つのプロセッサを備える、ワイヤレス通信のための装置。
【請求項３３】
前記少なくとも１つのプロセッサが、相関値のセットを取得するために前記受信された信号を拡散シーケンスのセットと相関させることと、拡散シーケンスの前記セットの各々について１つの相関値があり、相関値の前記セットに基づいて前記ＡＣＫ／ＮＡＣＫ情報を判断することとを行うように構成された、請求項３２に記載の装置。
【請求項３４】
ピアツーピア（Ｐ２Ｐ）通信のために第１のユーザ機器（ＵＥ）から第２のＵＥにデータ送信を送ることを少なくとも１つのプロセッサに行わせるためのコードと、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信することを前記少なくとも１つのプロセッサに行わせるためのコードと、前記信号は、前記第２のＵＥがサブフレームの最後のシンボル期間を除く前記サブフレームのすべてのシンボル期間において近傍検出信号を送るとき、前記サブフレームの前記最後のシンボル期間において前記第２のＵＥによって送られ、
前記第２のＵＥによって送られた前記ＡＣＫ／ＮＡＣＫ情報を取得するために前記第１のＵＥが前記受信された信号を処理することを前記少なくとも１つのプロセッサに行わせるためのコードと
を備えるコンピュータ読取可能な記録媒体。
【請求項３５】
ピアツーピア（Ｐ２Ｐ）通信のために第１のユーザ機器（ＵＥ）から第２のＵＥに送られたデータ送信を受信することと、
前記受信されたデータ送信に対する肯定応答／否定応答（ＡＣＫ／ＮＡＣＫ）情報を判断することと、
前記ＡＣＫ／ＮＡＣＫ情報を備える信号を生成することと、
前記ＡＣＫ／ＮＡＣＫ情報を備える前記信号を前記第２のＵＥから前記第１のＵＥに送信することと、前記信号は、前記第２のＵＥがサブフレームの最後のシンボル期間を除く前記サブフレームのすべてのシンボル期間において近傍検出信号を送るとき、前記サブフレームの前記最後のシンボル期間において送信される、
を備える、ワイヤレス通信のための方法。
【請求項３６】
前記信号を前記生成することが、
ワイヤレス通信ネットワークにおけるサウンディング基準信号の信号形式に基づいて前記ＡＣＫ／ＮＡＣＫ情報を備える前記信号を生成すること
を備える、請求項３５に記載の方法。
【請求項３７】
前記信号を前記生成することが、
前記ＡＣＫ／ＮＡＣＫ情報に基づいて拡散シーケンスのセット中の拡散シーケンスを選択することと、拡散シーケンスの前記セットの各々が前記ＡＣＫ／ＮＡＣＫ情報の異なる可能な値に関連し、
前記選択された拡散シーケンスに基づいて前記ＡＣＫ／ＮＡＣＫ情報を備える前記信号を生成することと
を備える、請求項３５に記載の方法。
【請求項３８】
前記信号を前記生成することは、
ＡＣＫを送信するための第１の拡散シーケンスと、ＮＡＣＫを送信するための第２の拡散シーケンスとを判断することと、
前記ＡＣＫ／ＮＡＣＫ情報がＡＣＫを備える場合、前記第１の拡散シーケンスに基づいて前記信号を生成することと、
前記ＡＣＫ／ＮＡＣＫ情報がＮＡＣＫを備える場合、前記第２の拡散シーケンスに基づいて前記信号を生成することと
を備える、請求項３５に記載の方法。
【請求項３９】
前記信号を前記送信することが、前記サブフレームの単一のシンボル期間において前記ＡＣＫ／ＮＡＣＫ情報を備える前記信号を送信することを備える、請求項３５に記載の方法。
【請求項４０】
ピアツーピア（Ｐ２Ｐ）通信のために第１のユーザ機器（ＵＥ）から第２のＵＥに送られたデータ送信を受信するための手段と、
前記受信されたデータ送信に対する肯定応答／否定応答（ＡＣＫ／ＮＡＣＫ）情報を判断するための手段と、
前記ＡＣＫ／ＮＡＣＫ情報を備える信号を生成するための手段と、
前記ＡＣＫ／ＮＡＣＫ情報を備える前記信号を前記第２のＵＥから前記第１のＵＥに送信するための手段と、前記信号は、前記第２のＵＥがサブフレームの最後のシンボル期間を除く前記サブフレームのすべてのシンボル期間において近傍検出信号を送るとき、前記サブフレームの前記最後のシンボル期間において送信される、
を備える、ワイヤレス通信のための装置。
【請求項４１】
前記信号を生成するための前記手段が、
前記ＡＣＫ／ＮＡＣＫ情報に基づいて拡散シーケンスのセット中の拡散シーケンスを選択するための手段と、拡散シーケンスの前記セットの各々が前記ＡＣＫ／ＮＡＣＫ情報の異なる可能な値に関連し、
前記選択された拡散シーケンスに基づいて前記ＡＣＫ／ＮＡＣＫ情報を備える前記信号を生成するための手段と
を備える、請求項４０に記載の装置。
【請求項４２】
ピアツーピア（Ｐ２Ｐ）通信のために第１のユーザ機器（ＵＥ）から第２のＵＥに送られたデータ送信を受信することと、前記受信されたデータ送信に対する肯定応答／否定応答（ＡＣＫ／ＮＡＣＫ）情報を判断することと、前記ＡＣＫ／ＮＡＣＫ情報を備える信号を生成することと、前記ＡＣＫ／ＮＡＣＫ情報を備える前記信号を前記第２のＵＥから前記第１のＵＥに送ることと、前記信号は、前記第２のＵＥがサブフレームの最後のシンボル期間を除く前記サブフレームのすべてのシンボル期間において近傍検出信号を送るとき、前記サブフレームの前記最後のシンボル期間において送信される、を行うように構成された少なくとも１つのプロセッサ
を備える、ワイヤレス通信のための装置。
【請求項４３】
前記少なくとも１つのプロセッサが、前記ＡＣＫ／ＮＡＣＫ情報に基づいて拡散シーケンスのセット中の拡散シーケンスを選択することと、拡散シーケンスの前記セットの各々が前記ＡＣＫ／ＮＡＣＫ情報の異なる可能な値に関連し、前記選択された拡散シーケンスに基づいて前記ＡＣＫ／ＮＡＣＫ情報を備える前記信号を生成することとを行うように構成された、請求項４２に記載の装置。
【請求項４４】
ピアツーピア（Ｐ２Ｐ）通信のために第１のユーザ機器（ＵＥ）から第２のＵＥに送られたデータ送信を受信することを少なくとも１つのプロセッサに行わせるためのコードと、
前記受信されたデータ送信に対する肯定応答／否定応答（ＡＣＫ／ＮＡＣＫ）情報を判断することを前記少なくとも１つのプロセッサに行わせるためのコードと、
前記ＡＣＫ／ＮＡＣＫ情報を備える信号を生成することを前記少なくとも１つのプロセッサに行わせるためのコードと、
前記ＡＣＫ／ＮＡＣＫ情報を備える前記信号を前記第２のＵＥから前記第１のＵＥに送ることを前記少なくとも１つのプロセッサに行わせるためのコードと、前記信号は、前記第２のＵＥがサブフレームの最後のシンボル期間を除く前記サブフレームのすべてのシンボル期間において近傍検出信号を送るとき、前記サブフレームの前記最後のシンボル期間において送信される、
を備えるコンピュータ読取可能な記録媒体。
【手続補正２】
【補正対象書類名】明細書
【補正対象項目名】０１３８
【補正方法】変更
【補正の内容】
【０１３８】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］  第１のユーザ機器（ＵＥ）において特定の波形に基づいて第１の信号を生成することと、前記特定の波形はワイヤレス通信ネットワークのためのダウンリンク波形またはアップリンク波形であり、
ピアツーピア（Ｐ２Ｐ）通信のために前記第１の信号を前記第１のＵＥから第２のＵＥに送信することと、
Ｐ２Ｐ通信のために前記第２のＵＥによって前記第１のＵＥに送信された第２の信号を受信することと、前記第２の信号は、前記第１の信号のために使用された前記特定の波形に基づいて前記第２のＵＥによって生成され、
を備える、ワイヤレス通信のための方法。
［Ｃ２］  前記特定の波形が前記ダウンリンク波形であり、前記第１の信号を前記生成することが、
少なくとも１つのダウンリンク信号またはチャネル中で送るべき情報を判断することと、
前記情報を搬送する前記少なくとも１つのダウンリンク信号またはチャネルを備える前記第１の信号を生成することと
を備える、Ｃ１に記載の方法。
［Ｃ３］  前記少なくとも１つのダウンリンク信号またはチャネルが、少なくとも１つの同期信号、または少なくとも１つの基準信号、またはダウンリンク制御チャネル、またはダウンリンク共有チャネル、またはそれらの組合せを備える、Ｃ２に記載の方法。
［Ｃ４］  前記特定の波形が前記ダウンリンク波形であり、前記第１の信号を前記生成することが、
少なくとも１つのアップリンク信号またはチャネル中で送るべき情報を判断することと、
前記少なくとも１つのアップリンク信号またはチャネルを少なくとも１つのダウンリンク信号またはチャネルにマッピングすることと、
前記情報を搬送する前記少なくとも１つのダウンリンク信号またはチャネルを備える前記第１の信号を生成することと
を備える、Ｃ１に記載の方法。
［Ｃ５］  前記少なくとも１つのアップリンク信号またはチャネルが、少なくとも１つの基準信号、またはランダムアクセスチャネル、またはアップリンク制御チャネル、またはアップリンク共有チャネル、またはそれらの組合せを備える、Ｃ４に記載の方法。
［Ｃ６］  前記アップリンク波形における物理ランダムアクセスチャネル（ＰＲＡＣＨ）が前記ダウンリンク波形における１次同期信号（ＰＳＳ）と２次同期信号（ＳＳＳ）とにマッピングされ、前記第１の信号を前記生成することが、
前記ＰＲＡＣＨ上で送るべき情報を判断することと、
前記ＰＲＡＣＨ上で送るべき前記情報を搬送する前記ＰＳＳと前記ＳＳＳとを備える前記第１の信号を生成することと
を備える、Ｃ１に記載の方法。
［Ｃ７］  前記アップリンク波形における物理アップリンク共有チャネル（ＰＵＳＣＨ）が前記ダウンリンク波形における物理ダウンリンク共有チャネル（ＰＤＳＣＨ）にマッピングされ、前記第１の信号を前記生成することが、
前記ＰＵＳＣＨ上で送るべき情報を判断することと、
前記ＰＵＳＣＨ上で送るべき前記情報を搬送する前記ＰＤＳＣＨを備える前記第１の信号を生成することと
を備える、Ｃ１に記載の方法。
［Ｃ８］  前記アップリンク波形におけるサウンディング基準信号（ＳＲＳ）が前記ダウンリンク波形におけるセル固有基準信号（ＣＲＳ）にマッピングされ、前記第１の信号を前記生成することが、前記第１のＵＥに割り当てられた少なくとも１つのサブバンドにおいて前記ＣＲＳを備える前記第１の信号を生成することを備える、Ｃ１に記載の方法。
［Ｃ９］  前記アップリンク波形における復調基準信号（ＤＭＲＳ）が前記ダウンリンク波形におけるセル固有基準信号（ＣＲＳ）またはＵＥ固有基準信号（ＵＥ−ＲＳ）にマッピングされ、前記第１の信号を前記生成することが、複数のサブバンドのうちの少なくとも１つのサブバンドにおいてダウンリンク制御チャネルまたはダウンリンク共有チャネルを備え、前記ダウンリンク制御チャネルまたは前記ダウンリンク共有チャネルがその中で送られる前記少なくとも１つのサブバンドのみにおいて前記ＣＲＳまたは前記ＵＥ−ＲＳをさらに備える前記第１の信号を生成することを備える、Ｃ１に記載の方法。
［Ｃ１０］  前記アップリンク波形における物理アップリンク制御チャネル（ＰＵＣＣＨ）が前記ダウンリンク波形における物理ダウンリンク制御チャネル（ＰＤＣＣＨ）にマッピングされる、Ｃ１に記載の方法。
［Ｃ１１］  前記第１の信号を前記生成することが、チャネル品質インジケータ（ＣＱＩ）、またはプリコーディング行列インジケータ（ＰＭＩ）、またはランクインジケータ（ＲＩ）、またはそれらの組合せを搬送する前記ＰＤＣＣＨを備える前記第１の信号を生成することを備える、Ｃ１０に記載の方法。
［Ｃ１２］  前記ＰＵＣＣＨが前記ダウンリンク波形における物理ハイブリッドＡＲＱインジケータチャネル（ＰＨＩＣＨ）にさらにマッピングされ、前記第１の信号を前記生成することが、肯定応答／否定応答（ＡＣＫ／ＮＡＣＫ）情報、またはスケジューリング要求（ＳＲ）、またはその両方を搬送する前記ＰＨＩＣＨを備える前記第１の信号を生成することを備える、Ｃ１０に記載の方法。
［Ｃ１３］  前記アップリンク波形における物理アップリンク制御チャネル（ＰＵＣＣＨ）が前記ダウンリンク波形における物理ダウンリンク共有チャネル（ＰＤＳＣＨ）にマッピングされ、前記第１の信号を前記生成することが、チャネル品質インジケータ（ＣＱＩ）、またはプリコーディング行列インジケータ（ＰＭＩ）、またはランクインジケータ（ＲＩ）、または肯定応答／否定応答（ＡＣＫ／ＮＡＣＫ）情報、またはスケジューリング要求（ＳＲ）、またはそれらの組合せを搬送する前記ＰＤＳＣＨを備える前記第１の信号を生成することを備える、Ｃ１に記載の方法。
［Ｃ１４］  前記アップリンク波形における物理アップリンク制御チャネル（ＰＵＣＣＨ）が前記ダウンリンク波形におけるリレー物理制御共有チャネル（Ｒ−ＰＤＣＣＨ）にマッピングされ、前記第１の信号を前記生成することが、
前記ＰＵＣＣＨ上で送るべき情報を判断することと、
前記ＰＵＣＣＨ中で送るべき前記情報を搬送する前記Ｒ−ＰＤＣＣＨを備える前記第１の信号を生成することと
を備える、Ｃ１に記載の方法。
［Ｃ１５］  前記第１のＵＥの全体的な電力スペクトル密度（ＰＳＤ）に基づいて前記第１の信号の送信電力を調整することをさらに備える、Ｃ１に記載の方法。
［Ｃ１６］  第１のユーザ機器（ＵＥ）において特定の波形に基づいて第１の信号を生成するための手段と、前記特定の波形がワイヤレス通信ネットワークのためのダウンリンク波形またはアップリンク波形であり、
ピアツーピア（Ｐ２Ｐ）通信のために前記第１の信号を前記第１のＵＥから第２のＵＥに送信するための手段と、
Ｐ２Ｐ通信のために前記第２のＵＥによって前記第１のＵＥに送信された第２の信号を受信するための手段と、前記第２の信号が、前記第１の信号のために使用された前記特定の波形に基づいて前記第２のＵＥによって生成され、
を備える、ワイヤレス通信のための装置。
［Ｃ１７］  前記特定の波形が前記ダウンリンク波形であり、前記第１の信号を生成するための前記手段が、
少なくとも１つのダウンリンク信号またはチャネル中で送るべき情報を判断するための手段と、
前記情報を搬送する前記少なくとも１つのダウンリンク信号またはチャネルを備える前記第１の信号を生成するための手段と
を備える、Ｃ１６に記載の装置。
［Ｃ１８］  前記特定の波形が前記ダウンリンク波形であり、前記第１の信号を生成するための前記手段が、
少なくとも１つのアップリンク信号またはチャネル中で送るべき情報を判断するための手段と、
前記少なくとも１つのアップリンク信号またはチャネルを少なくとも１つのダウンリンク信号またはチャネルにマッピングするための手段と、
前記情報を搬送する前記少なくとも１つのダウンリンク信号またはチャネルを備える前記第１の信号を生成するための手段と
を備える、Ｃ１６に記載の装置。
［Ｃ１９］  第１のユーザ機器（ＵＥ）において特定の波形に基づいて第１の信号を生成することと、前記特定の波形がワイヤレス通信ネットワークのためのダウンリンク波形またはアップリンク波形であり、ピアツーピア（Ｐ２Ｐ）通信のために前記第１の信号を前記第１のＵＥから第２のＵＥに送ることと、Ｐ２Ｐ通信のために前記第２のＵＥによって前記第１のＵＥに送信された第２の信号を受信することと、前記第２の信号が、前記第１の信号のために使用された前記特定の波形に基づいて前記第２のＵＥによって生成され、を行うように構成された少なくとも１つのプロセッサを備える、ワイヤレス通信のための装置。
［Ｃ２０］  前記特定の波形が前記ダウンリンク波形であり、前記少なくとも１つのプロセッサが、少なくとも１つのダウンリンク信号またはチャネル中で送るべき情報を判断することと、前記情報を搬送する前記少なくとも１つのダウンリンク信号またはチャネルを備える前記第１の信号を生成することとを行うように構成された、Ｃ１９に記載の装置。
［Ｃ２１］  前記特定の波形が前記ダウンリンク波形であり、前記少なくとも１つのプロセッサが、少なくとも１つのアップリンク信号またはチャネル中で送るべき情報を判断することと、前記少なくとも１つのアップリンク信号またはチャネルを少なくとも１つのダウンリンク信号またはチャネルにマッピングすることと、前記情報を搬送する前記少なくとも１つのダウンリンク信号またはチャネルを備える前記第１の信号を生成することとを行うように構成された、Ｃ１９に記載の装置。
［Ｃ２２］  第１のユーザ機器（ＵＥ）において特定の波形に基づいて第１の信号を生成することを少なくとも１つのプロセッサに行わせるためのコードと、前記特定の波形がワイヤレス通信ネットワークのためのダウンリンク波形またはアップリンク波形であり、
ピアツーピア（Ｐ２Ｐ）通信のために前記第１の信号を前記第１のＵＥから第２のＵＥに送ることを前記少なくとも１つのプロセッサに行わせるためのコードと、
Ｐ２Ｐ通信のために前記第２のＵＥによって前記第１のＵＥに送信された第２の信号を受信することを前記少なくとも１つのプロセッサに行わせるためのコードと、前記第２の信号が、前記第１の信号のために使用された前記特定の波形に基づいて前記第２のＵＥによって生成され、
を備える非一時的コンピュータ可読媒体
を備える、コンピュータプログラム製品。
［Ｃ２３］  ワイヤレス通信ネットワークの物理チャネルに基づいてユーザ機器（ＵＥ）の近傍検出信号を生成することと、
少なくとも１つの他のＵＥが前記ＵＥを検出することを可能にするために第１のサブフレームの一部分において前記近傍検出信号を送信することと、
前記ワイヤレス通信ネットワークとの通信のために第２のサブフレームの全体において前記物理チャネルを送信することと
を備える、ワイヤレス通信のための方法。
［Ｃ２４］  前記近傍検出信号を前記送信することが、前記第１のサブフレームの最後のシンボル期間を除く前記第１のサブフレームのすべてのシンボル期間において前記近傍検出信号を送信することを備える、Ｃ２３に記載の方法。
［Ｃ２５］  前記物理チャネルが物理アップリンク共有チャネル（ＰＵＳＣＨ）を備え、前記近傍検出信号を前記生成することが、
前記近傍検出信号中で送るべき情報に基づいて変調シンボルのセットを生成することと、
変調シンボルの前記セットを、前記第１のサブフレームの前記一部分中の前記ＰＵＳＣＨのためのリソース要素のセットにマッピングすることと、
リソース要素の前記セットにマッピングされた変調シンボルの前記セットに基づいて前記近傍検出信号を生成することと
を備える、Ｃ２３に記載の方法。
［Ｃ２６］  前記物理チャネルが物理アップリンク制御チャネル（ＰＵＣＣＨ）を備え、前記近傍検出信号を前記生成することが、
前記近傍検出信号中で送るべき情報に基づいて変調シンボルのセットを生成することと、
被変調シーケンスのセットを生成するために拡散シーケンスを変調シンボルの前記セットで変調することと、各変調シンボルについて１つの被変調シーケンスがあり、
被変調シーケンスの前記セットを、前記第１のサブフレームの前記一部分中の前記ＰＵＣＣＨのためのリソース要素のセットにマッピングすることと、前記第１のサブフレームの前記一部分中の各シンボル期間中に１つの被変調シーケンスがあり、
リソース要素の前記セットにマッピングされた被変調シーケンスの前記セットに基づいて前記近傍検出信号を生成することと
を備える、Ｃ２３に記載の方法。
［Ｃ２７］  前記近傍検出信号を前記生成することが、
前記近傍検出信号中で送るべき情報に基づいて、および前記第１のサブフレームの全体のために選択されたコードレートに従ってコードワードを生成することと、
前記コードワードの一部分をパンクチャすることと、
パンクチャされない前記コードワードの残りの部分に基づいて前記近傍検出信号を生成することと
を備える、Ｃ２３に記載の方法。
［Ｃ２８］  前記近傍検出信号を前記生成することが、
前記近傍検出信号中で送るべき情報に基づいて、および前記第１のサブフレームの前記一部分に基づいて選択されたコードレートに従ってコードワードを生成することと、
前記コードワードのすべてに基づいて前記近傍検出信号を生成することと
を備える、Ｃ２３に記載の方法。
［Ｃ２９］  前記近傍検出信号を前記生成することが、
擬似乱数（ＰＮ）シーケンスまたは所定のホッピングパターンに基づいて前記近傍検出信号のためのサブキャリアのセットを選択することと、
前記第１のサブフレームの前記一部分中のサブキャリアの前記セット上での送信のために前記近傍検出信号を生成することと
を備える、Ｃ２３に記載の方法。
［Ｃ３０］  前記ＵＥが前記近傍検出信号をブランキングする確率に基づいて前記第１のサブフレーム中で前記近傍検出信号を送信すべきか否かを判断することと、
前記近傍検出信号を送信するという判断に応答して、前記第１のサブフレームの前記一部分において前記近傍検出信号を送信することと
をさらに備える、Ｃ２３に記載の方法。
［Ｃ３１］  前記第１のサブフレームの残りの部分において制御情報を送信すること
をさらに備える、Ｃ２３に記載の方法。
［Ｃ３２］  前記第１のサブフレームの前記残りの部分が、ＵＥ間のピアツーピア（Ｐ２Ｐ）通信をサポートするための制御情報を送信するために使用される、Ｃ２３に記載の方法。
［Ｃ３３］  ワイヤレス通信ネットワークの物理チャネルに基づいてユーザ機器（ＵＥ）の近傍検出信号を生成するための手段と、
少なくとも１つの他のＵＥが前記ＵＥを検出することを可能にするために第１のサブフレームの一部分において前記近傍検出信号を送信するための手段と、
前記ワイヤレス通信ネットワークとの通信のために第２のサブフレームの全体において前記物理チャネルを送信するための手段と
を備える、ワイヤレス通信のための装置。
［Ｃ３４］  前記第１のサブフレームの残りの部分が、ＵＥ間のピアツーピア（Ｐ２Ｐ）通信をサポートするための制御情報を送信するために使用される、Ｃ３３に記載の装置。
［Ｃ３５］  ワイヤレス通信ネットワークの物理チャネルに基づいてユーザ機器（ＵＥ）の近傍検出信号を生成することと、少なくとも１つの他のＵＥが前記ＵＥを検出することを可能にするために第１のサブフレームの一部分において前記近傍検出信号を送ることと、前記ワイヤレス通信ネットワークとの通信のために第２のサブフレームの全体において前記物理チャネルを送ることとを行うように構成された少なくとも１つのプロセッサ
を備える、ワイヤレス通信のための装置。
［Ｃ３６］  前記第１のサブフレームの残りの部分が、ＵＥ間のピアツーピア（Ｐ２Ｐ）通信をサポートするための制御情報を送信するために使用される、Ｃ３５に記載の装置。
［Ｃ３７］    ワイヤレス通信ネットワークの物理チャネルに基づいてユーザ機器（ＵＥ）の近傍検出信号を生成することを少なくとも１つのプロセッサに行わせるためのコードと、
少なくとも１つの他のＵＥが前記ＵＥを検出することを可能にするために第１のサブフレームの一部分において前記近傍検出信号を送ることを前記少なくとも１つのプロセッサに行わせるためのコードと、
前記ワイヤレス通信ネットワークとの通信のために第２のサブフレームの全体において前記物理チャネルを送ることを前記少なくとも１つのプロセッサに行わせるためのコードと
を備える非一時的コンピュータ可読媒体
を備える、コンピュータプログラム製品。
［Ｃ３８］  ユーザ機器（ＵＥ）が、第１のサブフレームの一部分において少なくとも１つの他のＵＥによって送信された少なくとも１つの近傍検出信号を検出することと、各近傍検出信号がワイヤレス通信ネットワークの物理チャネルに基づいて生成され、
前記少なくとも１つの近傍検出信号に基づいて前記少なくとも１つの他のＵＥを識別することと、
前記ワイヤレス通信ネットワークとの通信のために第２のサブフレームの全体において前記ＵＥが前記物理チャネルを送信することと
を備える、ワイヤレス通信のための方法。
［Ｃ３９］  少なくとも１つの近傍検出信号を前記検出することが、前記第１のサブフレームの最後のシンボル期間を除く前記第１のサブフレームのすべてのシンボル期間において前記少なくとも１つの他のＵＥによって送信された前記少なくとも１つの近傍検出信号を検出することを備える、Ｃ３８に記載の方法。
［Ｃ４０］  前記物理チャネルが物理アップリンク共有チャネル（ＰＵＳＣＨ）を備え、前記方法が、
前記第１のサブフレームの前記一部分中のリソース要素の少なくとも１つのセットから受信シンボルの少なくとも１つのセットを取得することと、前記少なくとも１つの近傍検出信号の各々について受信シンボルの１つのセットがあり、
前記少なくとも１つの近傍検出信号中で送られた情報を取得するために受信シンボルの前記少なくとも１つのセットを復調し、復号することと
をさらに備える、Ｃ３８に記載の方法。
［Ｃ４１］  前記物理チャネルが物理アップリンク制御チャネル（ＰＵＣＣＨ）を備え、前記方法が、
前記第１のサブフレームの前記一部分中のリソース要素の少なくとも１つのセットから受信シンボルの少なくとも１つのセットを取得することと、前記少なくとも１つの近傍検出信号の各々について受信シンボルの１つのセットがあり、
逆拡散シンボルの少なくとも１つのセットを取得するために受信シンボルの前記少なくとも１つのセットを少なくとも１つの拡散シーケンスで逆拡散することと、前記少なくとも１つの近傍検出信号の各々について逆拡散シンボルの１つのセットがあり、
前記少なくとも１つの近傍検出信号中で送られた情報を取得するために逆拡散シンボルの前記少なくとも１つのセットを復調し、復号することと
をさらに備える、Ｃ３８に記載の方法。
［Ｃ４２］  前記第１のサブフレームの残りの部分において別のＵＥから制御情報を受信することをさらに備える、Ｃ３８に記載の方法。
［Ｃ４３］  ユーザ機器（ＵＥ）が、第１のサブフレームの一部分において少なくとも１つの他のＵＥによって送信された少なくとも１つの近傍検出信号を検出するための手段と、各近傍検出信号がワイヤレス通信ネットワークの物理チャネルに基づいて生成され、
前記少なくとも１つの近傍検出信号に基づいて前記少なくとも１つの他のＵＥを識別するための手段と、
前記ワイヤレス通信ネットワークとの通信のために第２のサブフレームの全体において前記ＵＥが前記物理チャネルを送信するための手段と
を備える、ワイヤレス通信のための装置。
［Ｃ４４］  前記第１のサブフレームの残りの部分において別のＵＥから制御情報を受信するための手段をさらに備える、Ｃ４３に記載の装置。
［Ｃ４５］  ユーザ機器（ＵＥ）が、第１のサブフレームの一部分において少なくとも１つの他のＵＥによって送信された少なくとも１つの近傍検出信号を検出することと、各近傍検出信号がワイヤレス通信ネットワークの物理チャネルに基づいて生成され、前記少なくとも１つの近傍検出信号に基づいて前記少なくとも１つの他のＵＥを識別することと、前記ワイヤレス通信ネットワークとの通信のために第２のサブフレームの全体において前記ＵＥが前記物理チャネルを送ることとを行うように構成された少なくとも１つのプロセッサ
を備える、ワイヤレス通信のための装置。
［Ｃ４６］  前記少なくとも１つのプロセッサが、前記第１のサブフレームの残りの部分において別のＵＥから制御情報を受信するように構成された、Ｃ４５に記載の装置。
［Ｃ４７］    ユーザ機器（ＵＥ）が、第１のサブフレームの一部分において少なくとも１つの他のＵＥによって送信された少なくとも１つの近傍検出信号を検出することを少なくとも１つのプロセッサに行わせるためのコードと、各近傍検出信号がワイヤレス通信ネットワークの物理チャネルに基づいて生成され、
前記少なくとも１つの近傍検出信号に基づいて前記少なくとも１つの他のＵＥを識別することを前記少なくとも１つのプロセッサに行わせるためのコードと、
前記ワイヤレス通信ネットワークとの通信のために第２のサブフレームの全体において前記ＵＥが前記物理チャネルを送ることを前記少なくとも１つのプロセッサに行わせるためのコードと
を備える非一時的コンピュータ可読媒体
を備える、コンピュータプログラム製品。
［Ｃ４８］  ピアツーピア（Ｐ２Ｐ）通信のために第１のユーザ機器（ＵＥ）から第２のＵＥにデータ送信を送ることと、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信することと、前記信号が、ワイヤレス通信ネットワークにおいてＡＣＫ／ＮＡＣＫ情報を送るために使用されていない信号形式に基づいて前記第２のＵＥによって生成され、
前記第２のＵＥによって送られた前記ＡＣＫ／ＮＡＣＫ情報を取得するために前記第１のＵＥが前記受信された信号を処理することと
を備える、ワイヤレス通信のための方法。
［Ｃ４９］  前記ＡＣＫ／ＮＡＣＫ情報を備える前記信号が、前記ワイヤレス通信ネットワークにおけるサウンディング基準信号の信号形式に基づいて生成される、Ｃ４８に記載の方法。
［Ｃ５０］  前記受信された信号を前記処理することが、
相関値のセットを取得するために前記受信された信号を拡散シーケンスのセットと相関させることと、拡散シーケンスの前記セットの各々について１つの相関値があり、
相関値の前記セットに基づいて前記ＡＣＫ／ＮＡＣＫ情報を判断することと
を備える、Ｃ４８に記載の方法。
［Ｃ５１］  拡散シーケンスの前記セットが基本シーケンスの複数のサイクリックシフトを備え、前記基本シーケンスがＺａｄｏｆｆ−Ｃｈｕシーケンスまたはコンピュータ生成シーケンスを備える、Ｃ５０に記載の方法。
［Ｃ５２］  前記受信された信号を前記処理することが、
第１の相関値を取得するために前記受信された信号をＡＣＫのための第１の拡散シーケンスと相関させることと、
第２の相関値を取得するために前記受信された信号をＮＡＣＫのための第２の拡散シーケンスと相関させることと、
前記第１の相関値および前記第２の相関値に基づいて前記第１のＵＥによってＡＣＫが送られたのかＮＡＣＫが送られたのかを判断することと
を備える、Ｃ４８に記載の方法。
［Ｃ５３］  ＡＣＫが送られたのかＮＡＣＫが送られたのかを前記判断することは、
前記第１の相関値と前記第２の相関値とに基づく比を判断することと、
前記比が第１のしきい値を上回る場合、ＡＣＫが送られたと宣言することと、
前記比が第２のしきい値を下回る場合、ＮＡＣＫが送られたと宣言することと
を備える、Ｃ５２に記載の方法。
［Ｃ５４］  ＡＣＫが送られたのかＮＡＣＫが送られたのかを前記判断することは、前記比が前記第１のしきい値と前記第２のしきい値との間にある場合、ＡＣＫまたはＮＡＣＫが送られなかったと宣言することをさらに備える、Ｃ５３に記載の方法。
［Ｃ５５］  前記信号を前記受信することが、
サブフレームの単一のシンボル期間において前記ＡＣＫ／ＮＡＣＫ情報を備える前記信号を受信すること
を備える、Ｃ４８に記載の方法。
［Ｃ５６］  ピアツーピア（Ｐ２Ｐ）通信のために第１のユーザ機器（ＵＥ）から第２のＵＥにデータ送信を送るための手段と、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信するための手段と、前記信号が、ワイヤレス通信ネットワークにおいてＡＣＫ／ＮＡＣＫ情報を送るために使用されていない信号形式に基づいて前記第２のＵＥによって生成され、
前記第２のＵＥによって送られた前記ＡＣＫ／ＮＡＣＫ情報を取得するために前記第１のＵＥが前記受信された信号を処理するための手段と
を備える、ワイヤレス通信のための装置。
［Ｃ５７］  前記受信された信号を処理するための前記手段が、
相関値のセットを取得するために前記受信された信号を拡散シーケンスのセットと相関させるための手段と、拡散シーケンスの前記セットの各々について１つの相関値があり、
相関値の前記セットに基づいて前記ＡＣＫ／ＮＡＣＫ情報を判断するための手段と
を備える、Ｃ５６に記載の装置。
［Ｃ５８］  ピアツーピア（Ｐ２Ｐ）通信のために第１のユーザ機器（ＵＥ）から第２のＵＥにデータ送信を送ることと、Ｐ２Ｐ通信のための前記データ送信のために前記第２のＵＥによって前記第１のＵＥに送られた肯定応答／否定応答（ＡＣＫ／ＮＡＣＫ）情報を備える信号を受信することと、前記信号が、ワイヤレス通信ネットワークにおいてＡＣＫ／ＮＡＣＫ情報を送るために使用されていない信号形式に基づいて前記第２のＵＥによって生成され、前記第２のＵＥによって送られた前記ＡＣＫ／ＮＡＣＫ情報を取得するために前記第１のＵＥが前記受信された信号を処理することとを行うように構成された少なくとも１つのプロセッサ
を備える、ワイヤレス通信のための装置。
［Ｃ５９］  前記少なくとも１つのプロセッサが、相関値のセットを取得するために前記受信された信号を拡散シーケンスのセットと相関させることと、拡散シーケンスの前記セットの各々について１つの相関値があり、相関値の前記セットに基づいて前記ＡＣＫ／ＮＡＣＫ情報を判断することとを行うように構成された、Ｃ５８に記載の装置。
［Ｃ６０］    ピアツーピア（Ｐ２Ｐ）通信のために第１のユーザ機器（ＵＥ）から第２のＵＥにデータ送信を送ることを少なくとも１つのプロセッサに行わせるためのコードと、
Ｐ２Ｐ通信のための前記データ送信のために前記第２のＵＥによって前記第１のＵＥに送られた肯定応答／否定応答（ＡＣＫ／ＮＡＣＫ）情報を備える信号を受信することを前記少なくとも１つのプロセッサに行わせるためのコードと、前記信号が、ワイヤレス通信ネットワークにおいてＡＣＫ／ＮＡＣＫ情報を送るために使用されていない信号形式に基づいて前記第２のＵＥによって生成され、
前記第２のＵＥによって送られた前記ＡＣＫ／ＮＡＣＫ情報を取得するために前記第１のＵＥが前記受信された信号を処理することを前記少なくとも１つのプロセッサに行わせるためのコードと
を備える非一時的コンピュータ可読媒体
を備える、コンピュータプログラム製品。
［Ｃ６１］  ピアツーピア（Ｐ２Ｐ）通信のために第１のユーザ機器（ＵＥ）から第２のＵＥに送られたデータ送信を受信することと、
前記受信されたデータ送信に対する肯定応答／否定応答（ＡＣＫ／ＮＡＣＫ）情報を判断することと、
ワイヤレス通信ネットワークにおいてＡＣＫ／ＮＡＣＫ情報を送るために使用されていない信号形式に基づいて前記ＡＣＫ／ＮＡＣＫ情報を備える信号を生成することと、
前記ＡＣＫ／ＮＡＣＫ情報を備える前記信号を前記第２のＵＥから前記第１のＵＥに送信することと
を備える、ワイヤレス通信のための方法。
［Ｃ６２］  前記信号を前記生成することが、
前記ワイヤレス通信ネットワークにおけるサウンディング基準信号の信号形式に基づいて前記ＡＣＫ／ＮＡＣＫ情報を備える前記信号を生成すること
を備える、Ｃ６１に記載の方法。
［Ｃ６３］  前記信号を前記生成することが、
前記ＡＣＫ／ＮＡＣＫ情報に基づいて拡散シーケンスのセット中の拡散シーケンスを選択することと、拡散シーケンスの前記セットの各々が前記ＡＣＫ／ＮＡＣＫ情報の異なる可能な値に関連し、
前記選択された拡散シーケンスに基づいて前記ＡＣＫ／ＮＡＣＫ情報を備える前記信号を生成することと
を備える、Ｃ６１に記載の方法。
［Ｃ６４］  前記信号を前記生成することは、
ＡＣＫを送信するための第１の拡散シーケンスと、ＮＡＣＫを送信するための第２の拡散シーケンスとを判断することと、
前記ＡＣＫ／ＮＡＣＫ情報がＡＣＫを備える場合、前記第１の拡散シーケンスに基づいて前記信号を生成することと、
前記ＡＣＫ／ＮＡＣＫ情報がＮＡＣＫを備える場合、前記第２の拡散シーケンスに基づいて前記信号を生成することと
を備える、Ｃ６１に記載の方法。
［Ｃ６５］  前記信号を前記送信することが、サブフレームの単一のシンボル期間において前記ＡＣＫ／ＮＡＣＫ情報を備える前記信号を送信することを備える、Ｃ６１に記載の方法。
［Ｃ６６］  ピアツーピア（Ｐ２Ｐ）通信のために第１のユーザ機器（ＵＥ）から第２のＵＥに送られたデータ送信を受信するための手段と、
前記受信されたデータ送信に対する肯定応答／否定応答（ＡＣＫ／ＮＡＣＫ）情報を判断するための手段と、
ワイヤレス通信ネットワークにおいてＡＣＫ／ＮＡＣＫ情報を送るために使用されていない信号形式に基づいて前記ＡＣＫ／ＮＡＣＫ情報を備える信号を生成するための手段と、
前記ＡＣＫ／ＮＡＣＫ情報を備える前記信号を前記第２のＵＥから前記第１のＵＥに送信するための手段と
を備える、ワイヤレス通信のための装置。
［Ｃ６７］  前記信号を生成するための前記手段が、
前記ＡＣＫ／ＮＡＣＫ情報に基づいて拡散シーケンスのセット中の拡散シーケンスを選択するための手段であって、拡散シーケンスの前記セットの各々が前記ＡＣＫ／ＮＡＣＫ情報の異なる可能な値に関連する、選択するための手段と、
前記選択された拡散シーケンスに基づいて前記ＡＣＫ／ＮＡＣＫ情報を備える前記信号を生成するための手段と
を備える、Ｃ６６に記載の装置。
［Ｃ６８］  ピアツーピア（Ｐ２Ｐ）通信のために第１のユーザ機器（ＵＥ）から第２のＵＥに送られたデータ送信を受信することと、前記受信されたデータ送信に対する肯定応答／否定応答（ＡＣＫ／ＮＡＣＫ）情報を判断することと、ワイヤレス通信ネットワークにおいてＡＣＫ／ＮＡＣＫ情報を送るために使用されていない信号形式に基づいて前記ＡＣＫ／ＮＡＣＫ情報を備える信号を生成することと、前記ＡＣＫ／ＮＡＣＫ情報を備える前記信号を前記第２のＵＥから前記第１のＵＥに送ることとを行うように構成された少なくとも１つのプロセッサ
を備える、ワイヤレス通信のための装置。
［Ｃ６９］  前記少なくとも１つのプロセッサが、前記ＡＣＫ／ＮＡＣＫ情報に基づいて拡散シーケンスのセット中の拡散シーケンスを選択することであって、拡散シーケンスの前記セットの各々が前記ＡＣＫ／ＮＡＣＫ情報の異なる可能な値に関連する、選択することと、前記選択された拡散シーケンスに基づいて前記ＡＣＫ／ＮＡＣＫ情報を備える前記信号を生成することとを行うように構成された、Ｃ６８に記載の装置。
［Ｃ７０］    ピアツーピア（Ｐ２Ｐ）通信のために第１のユーザ機器（ＵＥ）から第２のＵＥに送られたデータ送信を受信することを少なくとも１つのプロセッサに行わせるためのコードと、
前記受信されたデータ送信に対する肯定応答／否定応答（ＡＣＫ／ＮＡＣＫ）情報を判断することを前記少なくとも１つのプロセッサに行わせるためのコードと、
ワイヤレス通信ネットワークにおいてＡＣＫ／ＮＡＣＫ情報を送るために使用されていない信号形式に基づいて前記ＡＣＫ／ＮＡＣＫ情報を備える信号を生成することを前記少なくとも１つのプロセッサに行わせるためのコードと、
前記ＡＣＫ／ＮＡＣＫ情報を備える前記信号を前記第２のＵＥから前記第１のＵＥに送ることを前記少なくとも１つのプロセッサに行わせるためのコードと
を備える非一時的コンピュータ可読媒体
を備える、コンピュータプログラム製品。
【外国語明細書】
2014212549000001.pdf